(57)【要約】  本開示の実施例は、ＣＳＩリソースタイプの決定方法、ネットワーク側装置及び端末を提供する。端末に適用される該ＣＳＩリソースタイプの決定方法は、ＣＳＩリソースをアクティブ化／非アクティブ化するためのＭＡＣ  ＣＥを受信することと、前記ＭＡＣ  ＣＥで指示されるＣＳＩリソースセットのタイプを決定することと、を含み、前記ＣＳＩリソースセットのタイプは、半永続的ＰＵＣＣＨ測定のための第１のタイプと、半永続的ＰＵＳＣＨ測定のための第２のタイプとを含む。【選択図】  図１
2021513806.tif 000002
【特許請求の範囲】
【請求項１】
端末に適用されるチャネル状態情報ＣＳＩリソースタイプの決定方法であって、
ＣＳＩリソースセットをアクティブ化／非アクティブ化するための媒体アクセス制御層制御エレメントＭＡＣ  ＣＥを受信することと、
前記ＭＡＣ  ＣＥで指示されるＣＳＩリソースセットのタイプを決定することと、を含み、
前記ＣＳＩリソースセットのタイプは、半永続的物理アップリンク制御チャネルＰＵＣＣＨ測定のための第１のタイプと、半永続的物理アップリンク共有チャネルＰＵＳＣＨ測定のための第２のタイプとを含む、チャネル状態情報ＣＳＩリソースタイプの決定方法。
【請求項２】
前記ＭＡＣ  ＣＥで指示されるＣＳＩリソースセットのタイプを決定するステップの前に、さらに、
ネットワーク側が上位レイヤシグナリングにより送信する複数のＣＳＩリソースセットの設定情報を受信することを含み、
前記設定情報には、ＣＳＩリソースセットの番号が含まれ、前記複数のＣＳＩリソースセットは、前記第１のタイプのＣＳＩリソースセットと前記第２のタイプのＣＳＩリソースセットを含み、前記複数のＣＳＩリソースセットの番号において、異なるＣＳＩリソースを含むＣＳＩリソースセットの番号が異なり、
前記ＭＡＣ  ＣＥには、アクティブ化／非アクティブ化を必要とするＣＳＩリソースセットの番号が含まれ、
前記ＭＡＣ  ＣＥで指示されるＣＳＩリソースセットのタイプを決定する前記ステップは、
前記ＭＡＣ  ＣＥで指示されるＣＳＩリソースセットの番号と、上位レイヤシグナリングで指示される複数のＣＳＩリソースセットの番号とに基づいて、前記ＭＡＣ  ＣＥで指示されるＣＳＩリソースセットのタイプを決定することを含み、
前記ＭＡＣ  ＣＥで指示されるＣＳＩリソースセットと前記上位レイヤシグナリングで指示されるＣＳＩリソースセットとは同じ番号付け方法を用いる、請求項１に記載の決定方法。
【請求項３】
前記ＭＡＣ  ＣＥで指示されるＣＳＩリソースセットのタイプを決定する前記ステップは、
前記ＭＡＣ  ＣＥで指示される少なくとも１つのＣＳＩリソースセットのタイプを指示するための、前記ＭＡＣ  ＣＥにおける所定ドメインの値を取得することと、
前記ＭＡＣ  ＣＥにおける所定ドメインの値に基づいて、前記ＭＡＣ  ＣＥで指示される少なくとも１つのＣＳＩリソースセットのタイプを決定することとを含む、請求項１に記載の決定方法。
【請求項４】
前記所定ドメインは、少なくとも１つのＣＳＩリソースセットのアクティブ化／非アクティブ化状態を指示する前記ＭＡＣ  ＣＥの内容におけるＲドメインであり、各ＣＳＩリソースセットは、それぞれ一つの前記所定ドメインに対応し、あるいは、
前記所定ドメインは、その値が前記ＭＡＣ  ＣＥで指示される全てのＣＳＩリソースセットのタイプを指示するための、前記ＭＡＣ  ＣＥのヘッダにおけるＬＣＩＤドメイン又は前記ＭＡＣ  ＣＥのヘッダにおけるＲドメインである、請求項３に記載の決定方法。
【請求項５】
前記ＭＡＣ  ＣＥで指示されるＣＳＩリソースセットのタイプを決定する前記ステップの前に、さらに、
ネットワーク側が上位レイヤシグナリングにより送信する複数のＣＳＩリソースセットの設定情報を受信することを含み、前記設定情報には、ＣＳＩリソースセットの番号が含まれ、前記複数のＣＳＩリソースセットは、前記第１のタイプのＣＳＩリソースセットと前記第２のタイプのＣＳＩリソースセットを含み、
前記ＭＡＣ  ＣＥには、アクティブ化／非アクティブ化を必要とするＣＳＩリソースセットの番号が含まれ、
前記ＭＡＣ  ＣＥで指示されるＣＳＩリソースセットのタイプを決定する前記ステップは、
上位レイヤシグナリングで指示される複数のＣＳＩリソースセットの番号と対応するマッピング関係を有する、前記ＭＡＣ  ＣＥで指示されるＣＳＩリソースセットの番号を取得することと、
前記ＭＡＣ  ＣＥで指示されるＣＳＩリソースセットの番号と、上位レイヤシグナリングで指示される前記複数のＣＳＩリソースセットの番号とのマッピング関係に基づいて、前記ＭＡＣ  ＣＥで指示されるＣＳＩリソースセットのタイプを決定することとを含む、請求項１に記載の決定方法。
【請求項６】
ネットワーク側装置に適用される、ＣＳＩリソースをアクティブ化／非アクティブ化する方法であって、
端末に、ＣＳＩリソースをアクティブ化／非アクティブ化するためのＭＡＣ  ＣＥを送信することにより、端末が前記ＭＡＣ  ＣＥを受信すると、前記ＭＡＣ  ＣＥで指示されるＣＳＩリソースセットのタイプを前記端末に決定させることを含み、
前記ＣＳＩリソースセットのタイプは、半永続的ＰＵＣＣＨ測定のための第１のタイプと、半永続的ＰＵＳＣＨ測定のための第２のタイプとを含む、ＣＳＩリソースをアクティブ化／非アクティブ化する方法。
【請求項７】
端末に、ＣＳＩリソースをアクティブ化／非アクティブ化するためのＭＡＣ  ＣＥを送信する前記ステップの前に、さらに、
上位レイヤシグナリングにより前記端末に複数のＣＳＩリソースセットの設定情報を送信することを含み、
前記設定情報には、ＣＳＩリソースセットの番号が含まれ、前記複数のＣＳＩリソースセットは、前記第１のタイプのＣＳＩリソースセットと前記第２のタイプのＣＳＩリソースセットを含み、前記複数のＣＳＩリソースセットの番号において、異なるＣＳＩリソースを含むＣＳＩリソースセットの番号が異なり、
前記ＭＡＣ  ＣＥは、アクティブ化／非アクティブ化を必要とするＣＳＩリソースセットの番号を含み、前記ＭＡＣ  ＣＥで指示されるＣＳＩリソースセットと前記上位レイヤシグナリングで指示されるＣＳＩリソースセットとは、同じ番号付け方法を用いる、請求項６に記載のＣＳＩリソースをアクティブ化／非アクティブ化する方法。
【請求項８】
前記ＭＡＣ  ＣＥは、所定ドメインを含み、前記所定ドメインの値は、前記ＭＡＣ  ＣＥで指示される少なくとも１つのＣＳＩリソースセットのタイプを指示する、請求項６に記載のＣＳＩリソースをアクティブ化／非アクティブ化する方法。
【請求項９】
前記所定ドメインは、少なくとも１つのＣＳＩリソースセットのアクティブ化／非アクティブ化状態を指示する前記ＭＡＣ  ＣＥの内容におけるＲドメインであり、各ＣＳＩリソースセットは、それぞれ一つの前記所定ドメインに対応し、あるいは、
前記所定ドメインは、その値が前記ＭＡＣ  ＣＥで指示される全てのＣＳＩリソースセットのタイプを指示するための、前記ＭＡＣ  ＣＥのヘッダにおけるＬＣＩＤドメイン又は前記ＭＡＣ  ＣＥのヘッダにおけるＲドメインである、請求項８に記載のＣＳＩリソースをアクティブ化／非アクティブ化する方法。
【請求項１０】
端末に、ＣＳＩリソースをアクティブ化／非アクティブ化するためのＭＡＣ  ＣＥを送信する前記ステップの前に、さらに、
上位レイヤシグナリングにより前記端末に複数のＣＳＩリソースセットの設定情報を送信することを含み、前記設定情報には、ＣＳＩリソースセットの番号が含まれ、前記複数のＣＳＩリソースセットは、前記第１のタイプのＣＳＩリソースセットと前記第２のタイプのＣＳＩリソースセットを含み、
前記ＭＡＣ  ＣＥは、アクティブ化／非アクティブ化を必要とするＣＳＩリソースセットの番号を含み、前記ＭＡＣ  ＣＥで指示されるＣＳＩリソースセットの番号と上位レイヤシグナリングで指示される複数のＣＳＩリソースセットの番号とは、対応するマッピング関係を有する、請求項６に記載のＣＳＩリソースをアクティブ化／非アクティブ化する方法。
【請求項１１】
ＣＳＩリソースセットをアクティブ化／非アクティブ化するためのＭＡＣ  ＣＥを受信するための第１の受信モジュールと、
前記ＭＡＣ  ＣＥで指示されるＣＳＩリソースセットのタイプを決定するための決定モジュールとを含み、
前記ＣＳＩリソースセットのタイプは、半永続的ＰＵＣＣＨ測定のための第１のタイプと、ＰＵＳＣＨ測定のための第２のタイプとを含む、端末。
【請求項１２】
ネットワーク側が上位レイヤシグナリングにより送信する複数のＣＳＩリソースセットの設定情報を受信するための第２の受信モジュールをさらに含み、
前記設定情報には、ＣＳＩリソースセットの番号が含まれ、前記複数のＣＳＩリソースセットは、前記第１のタイプのＣＳＩリソースセットと前記第２のタイプのＣＳＩリソースセットを含み、前記複数のＣＳＩリソースセットの番号において、異なるＣＳＩリソースを含むＣＳＩリソースセットの番号が異なり、
前記ＭＡＣ  ＣＥには、アクティブ化／非アクティブ化を必要とするＣＳＩリソースセットの番号が含まれ、
前記決定モジュールは、前記ＭＡＣ  ＣＥで指示されるＣＳＩリソースセットの番号と、上位レイヤシグナリングで指示される複数のＣＳＩリソースセットの番号とに基づいて、前記ＭＡＣ  ＣＥで指示されるＣＳＩリソースセットのタイプを決定し、前記ＭＡＣ  ＣＥで指示されるＣＳＩリソースセットと前記上位レイヤシグナリングで指示されるＣＳＩリソースセットとは同じ番号付け方法を用いる、請求項１１に記載の端末。
【請求項１３】
前記決定モジュールは、
前記ＭＡＣ  ＣＥで指示される少なくとも１つのＣＳＩリソースセットのタイプを指示するための、前記ＭＡＣ  ＣＥにおける所定ドメインの値を取得するための取得サブモジュールと、
前記ＭＡＣ  ＣＥにおける所定ドメインの値に基づいて、前記ＭＡＣ  ＣＥで指示される少なくとも１つのＣＳＩリソースセットのタイプを決定するための実行サブモジュールとを含む、請求項１１に記載の端末。
【請求項１４】
ネットワーク側が上位レイヤシグナリングにより送信する複数のＣＳＩリソースセットの設定情報を受信するための第３の受信モジュールをさらに含み、
前記設定情報には、ＣＳＩリソースセットの番号が含まれ、前記複数のＣＳＩリソースセットは、前記第１のタイプのＣＳＩリソースセットと前記第２のタイプのＣＳＩリソースセットを含み、
前記ＭＡＣ  ＣＥには、アクティブ化／非アクティブ化を必要とするＣＳＩリソースセットの番号が含まれ、
前記決定モジュールは、上位レイヤシグナリングで指示される複数のＣＳＩリソースセットの番号と対応するマッピング関係を有する、前記ＭＡＣ  ＣＥで指示されるＣＳＩリソースセットの番号を取得し、
前記ＭＡＣ  ＣＥで指示されるＣＳＩリソースセットの番号と、上位レイヤシグナリングで指示される前記複数のＣＳＩリソースセットの番号とのマッピング関係に基づいて、前記ＭＡＣ  ＣＥで指示されるＣＳＩリソースセットのタイプを決定する、請求項１１に記載の端末。
【請求項１５】
端末に、ＣＳＩリソースをアクティブ化／非アクティブ化するためのＭＡＣ  ＣＥを送信することにより、端末が前記ＭＡＣ  ＣＥを受信すると、前記ＭＡＣ  ＣＥで指示されるＣＳＩリソースセットのタイプを前記端末に決定させるための第１の送信モジュールを含み、
前記ＣＳＩリソースセットのタイプは、半永続的ＰＵＣＣＨ測定のための第１のタイプと、半永続的ＰＵＳＣＨ測定のための第２のタイプとを含む、ネットワーク側装置。
【請求項１６】
上位レイヤシグナリングにより前記端末に複数のＣＳＩリソースセットの設定情報を送信するための第２の送信モジュールをさらに含み、
前記設定情報には、ＣＳＩリソースセットの番号が含まれ、前記複数のＣＳＩリソースセットは、前記第１のタイプのＣＳＩリソースセットと前記第２のタイプのＣＳＩリソースセットを含み、前記複数のＣＳＩリソースセットの番号において、異なるＣＳＩリソースを含むＣＳＩリソースセットの番号が異なり、
前記ＭＡＣ  ＣＥは、アクティブ化／非アクティブ化を必要とするＣＳＩリソースセットの番号を含み、前記ＭＡＣ  ＣＥで指示されるＣＳＩリソースセットと前記上位レイヤシグナリングで指示されるＣＳＩリソースセットとは、同じ番号付け方法を用いる、請求項１５に記載のネットワーク側装置。
【請求項１７】
前記ＭＡＣ  ＣＥは、所定ドメインを含み、前記所定ドメインの値は、前記ＭＡＣ  ＣＥで指示される少なくとも１つのＣＳＩリソースセットのタイプを指示する、請求項１５に記載のネットワーク側装置。
【請求項１８】
上位レイヤシグナリングにより前記端末に複数のＣＳＩリソースセットの設定情報を送信するための第３の送信モジュールをさらに含み、
前記設定情報には、ＣＳＩリソースセットの番号が含まれ、前記複数のＣＳＩリソースセットは、前記第１のタイプのＣＳＩリソースセットと前記第２のタイプのＣＳＩリソースセットを含み、前記ＭＡＣ  ＣＥは、アクティブ化／非アクティブ化を必要とするＣＳＩリソースセットの番号を含み、前記ＭＡＣ  ＣＥで指示されるＣＳＩリソースセットの番号と上位レイヤシグナリングで指示される複数のＣＳＩリソースセットの番号とは、対応するマッピング関係を有する、請求項１５に記載のネットワーク側装置。
【請求項１９】
端末に適用されるサウンディング基準信号ＳＲＳリソースの基準信号タイプの決定方法であって、
ＳＲＳリソースをアクティブ化／非アクティブ化するためのＭＡＣ  ＣＥを受信することと、
前記ＭＡＣ  ＣＥで指示されるＳＲＳリソースセットのＱＣＬ関連情報の基準信号タイプを決定することとを含み、
前記基準信号タイプは、ＣＳＩ−ＲＳ、ＳＳＢ及びＳＲＳを含む、サウンディング基準信号ＳＲＳリソースの基準信号タイプの決定方法。
【請求項２０】
前記ＭＡＣ  ＣＥで指示されるＱＣＬ関連情報の基準信号タイプを決定する前記ステップは、
前記ＭＡＣ  ＣＥで指示される少なくとも１つのＳＲＳリソースセットのＱＣＬ関連情報の基準信号タイプを指示するための、前記ＭＡＣ  ＣＥにおける所定ドメインの値を取得することと、
前記ＭＡＣ  ＣＥにおける所定ドメインの値に基づいて、前記ＭＡＣ  ＣＥで指示される少なくとも１つのＳＲＳリソースセットのＱＣＬ関連情報の基準信号タイプを決定することとを含む、請求項１９に記載のサウンディング基準信号ＳＲＳリソースの基準信号タイプの決定方法。
【請求項２１】
前記所定ドメインは、前記ＭＡＣ  ＣＥの内容におけるＶ１ドメインを含み、前記ＭＡＣ  ＣＥは、少なくとも１つのＳＲＳリソースセットのアクティブ化／非アクティブ化状態を指示し、各ＳＲＳリソースセットは、それぞれ一つの前記Ｖ１ドメインに対応し、前記Ｖ１ドメインの値が第１の値である場合、対応するＳＲＳリソースセットのＱＣＬ関連情報の基準信号タイプはＣＳＩ−ＲＳであることを指示し、前記Ｖ１ドメインの値が第２の値である場合、対応するＳＲＳリソースセットのＱＣＬ関連情報の基準信号タイプはＳＳＢ又はＳＲＳであることを指示する、請求項２０に記載のサウンディング基準信号ＳＲＳリソースの基準信号タイプの決定方法。
【請求項２２】
前記所定ドメインは、さらに前記ＭＡＣ  ＣＥの内容におけるＶ２ドメインを含み、前記Ｖ２ドメインの値は、対応するＳＲＳリソースセットのＱＣＬ関連情報の基準信号タイプがＳＳＢ又はＳＲＳであることを指示する、請求項２１に記載のサウンディング基準信号ＳＲＳリソースの基準信号タイプの決定方法。
【請求項２３】
ネットワーク側装置に適用される、ＳＲＳリソースをアクティブ化／非アクティブ化する方法であって、
端末に、ＳＲＳリソースをアクティブ化／非アクティブ化するためのＭＡＣ  ＣＥを送信することにより、前記端末が前記ＭＡＣ  ＣＥを受信すると、前記ＭＡＣ  ＣＥで指示されるＳＲＳリソースセットのＱＣＬ関連情報の基準信号タイプを前記端末に決定させることを含み、
前記基準信号タイプは、ＣＳＩ−ＲＳ、ＳＳＢ及びＳＲＳを含む、ＳＲＳリソースをアクティブ化／非アクティブ化する方法。
【請求項２４】
前記ＭＡＣ  ＣＥは、所定ドメインを含み、前記所定ドメインの値は、前記ＭＡＣ  ＣＥで指示される少なくとも１つのＳＲＳリソースセットのＱＣＬ関連情報の基準信号タイプを指示する、請求項２３に記載のＳＲＳリソースをアクティブ化／非アクティブ化する方法。
【請求項２５】
前記所定ドメインは、前記ＭＡＣ  ＣＥの内容におけるＶ１ドメインを含み、前記ＭＡＣ  ＣＥは、少なくとも１つのＳＲＳリソースセットのアクティブ化／非アクティブ化状態を指示し、各ＳＲＳリソースセットは、それぞれ一つの前記Ｖ１ドメインに対応し、前記Ｖ１ドメインの値が第１の値である場合、対応するＳＲＳリソースセットのＱＣＬ関連情報の基準信号タイプはＣＳＩ−ＲＳであることを指示し、前記Ｖ１ドメインの値が第２の値である場合、対応するＳＲＳリソースセットのＱＣＬ関連情報の基準信号タイプはＳＳＢ又はＳＲＳであることを指示する、請求項２４に記載のＳＲＳリソースをアクティブ化／非アクティブ化する方法。
【請求項２６】
前記所定ドメインは、さらに前記ＭＡＣ  ＣＥの内容におけるＶ２ドメインを含み、前記Ｖ２ドメインの値は、対応するＳＲＳリソースセットのＱＣＬ関連情報の基準信号タイプがＳＳＢ又はＳＲＳであることを指示する、請求項２５に記載のＳＲＳリソースをアクティブ化／非アクティブ化する方法。
【請求項２７】
ＳＲＳリソースをアクティブ化／非アクティブ化するためのＭＡＣ  ＣＥを受信するための受信モジュールと、
前記ＭＡＣ  ＣＥで指示されるＳＲＳリソースセットのＱＣＬ関連情報の基準信号タイプを決定するための決定モジュールとを含み、
前記基準信号タイプは、ＣＳＩ−ＲＳ、ＳＳＢ及びＳＲＳを含む、端末。
【請求項２８】
前記決定モジュールは、前記ＭＡＣ  ＣＥで指示される少なくとも１つのＳＲＳリソースセットのＱＣＬ関連情報の基準信号タイプを指示するための、前記ＭＡＣ  ＣＥにおける所定ドメインの値を取得し、前記ＭＡＣ  ＣＥにおける所定ドメインの値に基づいて、前記ＭＡＣ  ＣＥで指示される少なくとも１つのＳＲＳリソースセットのＱＣＬ関連情報の基準信号タイプを決定する、請求項２７に記載の端末。
【請求項２９】
端末に、ＳＲＳリソースをアクティブ化／非アクティブ化するためのＭＡＣ  ＣＥを送信することにより、前記端末が前記ＭＡＣ  ＣＥを受信すると、前記ＭＡＣ  ＣＥで指示されるＳＲＳリソースセットのＱＣＬ関連情報の基準信号タイプを前記端末に決定させるための送信モジュールを含み、
前記基準信号タイプは、ＣＳＩ−ＲＳ、ＳＳＢ及びＳＲＳを含む、ネットワーク側装置。
【請求項３０】
前記ＭＡＣ  ＣＥは、所定ドメインを含み、前記所定ドメインの値は、前記ＭＡＣ  ＣＥで指示される少なくとも１つのＳＲＳリソースセットのＱＣＬ関連情報の基準信号タイプを指示する、請求項２９に記載のネットワーク側装置。
【請求項３１】
プロセッサと、メモリと、前記メモリ上に記憶されて前記プロセッサ上で動作可能で、前記プロセッサにより実行されると、請求項１〜５のいずれか１項に記載のＣＳＩリソースタイプの決定方法のステップを実現するか、又は、前記プロセッサにより実行されると、請求項１９〜２２のいずれか１項に記載のＳＲＳリソースの基準信号タイプの決定方法のステップを実現するコンピュータプログラムとを含む、端末。
【請求項３２】
プロセッサと、メモリと、前記メモリ上に記憶されて前記プロセッサ上で動作可能で、前記プロセッサにより実行されると、請求項６〜１０のいずれか１項に記載のＣＳＩリソースをアクティブ化／非アクティブ化する方法のステップを実現するか、又は、前記プロセッサにより実行されると、請求項２３〜２６のいずれか１項に記載のＳＲＳリソースをアクティブ化／非アクティブ化する方法のステップを実現するコンピュータプログラムとを含む、ネットワーク側装置。
【請求項３３】
プロセッサにより実行されると、請求項１〜５のいずれか１項に記載のＣＳＩリソースタイプの決定方法のステップを実現するか、又は、プロセッサにより実行されると、請求項６〜１０のいずれか１項に記載のＣＳＩリソースをアクティブ化／非アクティブ化する方法のステップを実現するか、又は、プロセッサにより実行されると、請求項１９〜２２のいずれか１項に記載のＳＲＳリソースの基準信号タイプの決定方法のステップを実現するか、又は、プロセッサにより実行されると、請求項２３〜２６のいずれか１項に記載のＳＲＳリソースをアクティブ化／非アクティブ化する方法のステップを実現するコンピュータプログラムが記憶されているコンピュータ読み取り可能な記憶媒体。
【発明の詳細な説明】
【技術分野】
【０００１】
本願は、２０１８年２月１３日に提出された中国特許出願第２０１８１０１５０９４９．８号の優先権を主張するものであり、その全ての内容は参照により本願に組み込まれるものとする。
本開示の実施例は、無線通信の技術分野に関し、特にチャネル状態情報（Ｃｈａｎｎｅｌ  Ｓｔａｔｅ  Ｉｎｆｏｒｍａｔｉｏｎ  、ＣＳＩ）リソースタイプの決定方法、端末及びネットワーク側装置に関する。
【背景技術】
【０００２】
チャネル状態情報基準信号（Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌ、ＣＳＩ−ＲＳ）は、端末がダウンリンクビーム測定を行うためのものである。上位レイヤは、ユーザに対して１つ又は複数の非ゼロ電力のＣＳＩ−ＲＳリソースセットを設定することができる。ＣＳＩ−ＲＳリソースセットの実際の数は、ネットワーク側で設定される。
【０００３】
チャネル状態情報干渉測定（Ｃｈａｎｎｅｌ  Ｓｔａｔｅ  Ｉｎｆｏｒｍａｔｉｏｎ−Ｉｎｔｅｒｆｅｒｅｎｃｅ  ｍｅａｓｕｒｅｍｅｎｔ、ＣＳＴ−ＩＭ）は、端末が干渉測定を行うためのものである。上位レイヤは、ユーザに対して１つ又は複数のＣＳＩ−ＩＭリソースセットを設定することができる。各ＣＳＩ−ＩＭリソース設定については、その送信電力がゼロであると仮定し、干渉測定を行う。
【０００４】
半永続的（Ｓｅｍｉ−Ｐｅｒｓｉｓｔｅｎｔ、ＳＰ）ＣＳＩリソースは、媒体アクセス制御層制御エレメント（Ｍｅｄｉａ  Ａｃｃｅｓｓ  Ｃｏｎｔｒｏｌ  Ｃｏｎｔｒｏｌ  Ｅｌｅｍｅｎｔ、ＭＡＣ  ＣＥ）によって、アクティブ化／非アクティブ化を実現することができる。
【０００５】
関連技術においてＣＳＩ測定設定構造を提供し、Ｓｅｍｉ−Ｐｅｒｓｉｓｔｅｎｔに対する測定リソースは、Ｓｅｍｉ−Ｐｅｒｓｉｓｔｅｎｔの物理アップリンク制御チャネル（Ｐｈｙｓｉｃａｌ  Ｕｐｌｉｎｋ  Ｃｏｎｔｒｏｌ  ＣＨａｎｎｅｌ、ＰＵＣＣＨ）のための測定リソースと、Ｓｅｍｉ−Ｐｅｒｓｉｓｔｅｎｔの物理アップリンク共有チャネル（Ｐｈｙｓｉｃａｌ  Ｕｐｌｉｎｋ  Ｓｈａｒｅｄ  ＣＨａｎｎｅｌ、ＰＵＳＣＨ）のための測定リソースとの２種類を含む。この２種類には、いずれもＣＳＩ−ＲＳリソースセットとＣＳＩ−ＩＭリソースセットが設定される。ＣＳＩ−ＲＳリソースセットは、１つ又は複数のＣＳＩ−ＲＳリソースを含む。ＣＳＩ−ＩＭリソースセットは、１つ又は複数のＣＳＩ−ＩＭリソースを含む。
【０００６】
上記ＣＳＩ測定設定構造を採用すると、端末が、ＭＡＣ  ＣＥで指示されるＣＳＩ−ＲＳリソースセット（又はＣＳＩ−ＩＭリソースセット）がＳｅｍｉ−Ｐｅｒｓｉｓｔｅｎｔ  ＰＵＣＣＨの測定リソースに設定されるＣＳＩ−ＲＳリソースセット（又はＣＳ−ＩＭリソースセット）であるか、それともＳｅｍｉ−Ｐｅｒｓｉｓｔｅｎｔ  ＰＵＳＣＨの測定リソースに設定されるＣＳＩ−ＲＳリソースセット（又はＣＳ−ＩＭリソースセット）であるかを区別できないという問題が生じる。例えば、Ｓｅｍｉ−Ｐｅｒｓｉｓｔｅｎｔ  ＰＵＣＣＨに設定されるＣＳＩ−ＲＳリソースセットの番号は、１、２、３である。Ｓｅｍｉ−Ｐｅｒｓｉｓｔｅｎｔ  ＰＵＳＣＨに設定されるＣＳＩ−ＲＳリソースセットの番号は、１、２、３、４である。アクティブ化のためのＭＡＣ  ＣＥに持っているＣＳＩ−ＲＳリソースセットの番号が２であれば、端末は、Ｓｅｍｉ−Ｐｅｒｓｉｓｔｅｎｔ  ＰＵＣＣＨに設定される番号が２のＣＳＩ−ＲＳリソースセットをアクティブ化するか、それともＳｅｍｉ−Ｐｅｒｓｉｓｔｅｎｔ  ＰＵＳＣＨに設定される番号が２のＣＳＩ−ＲＳリソースセットをアクティブ化するかが分からない。
【発明の概要】
【発明が解決しようとする課題】
【０００７】
本開示の実施例は、端末がＭＡＣ  ＣＥで指示されるリソースセットのタイプを区別できないという問題を解決するために、ＣＳＩリソースタイプの決定方法、端末及びネットワーク側装置を提供する。
【課題を解決するための手段】
【０００８】
第１の態様では、本開示の実施例は、
ＣＳＩリソースセットをアクティブ化／非アクティブ化するためのＭＡＣ  ＣＥを受信することと、
前記ＭＡＣ  ＣＥで指示されるＣＳＩリソースセットのタイプを決定することと、を含み、
前記ＣＳＩリソースセットのタイプが、半永続的物理アップリンク制御チャネルＰＵＣＣＨ測定のための第１のタイプと、半永続的物理アップリンク共有チャネルＰＵＳＣＨ測定のための第２のタイプとを含む、ＣＳＩリソースタイプの決定方法を提供する。
【０００９】
第２の態様では、本開示の実施例は、ネットワーク側装置に適用される、ＣＳＩリソースをアクティブ化／非アクティブ化する方法であって、
端末に、ＣＳＩリソースをアクティブ化／非アクティブ化するためのＭＡＣ  ＣＥを送信することにより、端末が前記ＭＡＣ  ＣＥを受信すると、前記ＭＡＣ  ＣＥで指示されるＣＳＩリソースセットのタイプを前記端末に決定させることを含み、
前記ＣＳＩリソースセットのタイプが、半永続的物理アップリンク制御チャネルＰＵＣＣＨ測定のための第１のタイプと、半永続的物理アップリンク共有チャネルＰＵＳＣＨ測定のための第２のタイプとを含む、ＣＳＩリソースをアクティブ化／非アクティブ化する方法を提供する。
【００１０】
第３の態様では、本開示の実施例は、
ＣＳＩリソースセットをアクティブ化／非アクティブ化するためのＭＡＣ  ＣＥを受信するための第１の受信モジュールと、
前記ＭＡＣ  ＣＥで指示されるＣＳＩリソースセットのタイプを決定するための決定モジュールとを含み、
前記ＣＳＩリソースセットのタイプが、半永続的物理アップリンク制御チャネルＰＵＣＣＨ測定のための第１のタイプと、半永続的物理アップリンク共有チャネルＰＵＳＣＨ測定のための第２のタイプとを含む、端末を提供する。
【００１１】
第４の態様では、本開示の実施例は、
端末に、ＣＳＩリソースをアクティブ化／非アクティブ化するためのＭＡＣ  ＣＥを送信することにより、端末が前記ＭＡＣ  ＣＥを受信すると、前記ＭＡＣ  ＣＥで指示されるＣＳＩリソースセットのタイプを前記端末に決定させるための第１の送信モジュールを含み、
前記ＣＳＩリソースセットのタイプが、半永続的物理アップリンク制御チャネルＰＵＣＣＨ測定のための第１のタイプと、半永続的物理アップリンク共有チャネルＰＵＳＣＨ測定のための第２のタイプとを含む、ネットワーク側装置を提供する。
【００１２】
第５の態様では、本開示の実施例は、端末に適用されるＳＲＳリソースの基準信号タイプの決定方法であって、
ＳＲＳリソースをアクティブ化／非アクティブ化するためのＭＡＣ  ＣＥを受信することと、
前記ＭＡＣ  ＣＥで指示されるＳＲＳリソースセットのＱＣＬ関連情報の基準信号タイプを決定することとを含み、
前記基準信号タイプが、ＣＳＩ−ＲＳ、ＳＳＢ及びＳＲＳを含む、ＳＲＳリソースの基準信号タイプの決定方法を提供する。
【００１３】
第６の態様では、本開示の実施例は、ネットワーク側装置に適用される、ＳＲＳリソースをアクティブ化／非アクティブ化する方法であって、
端末に、ＳＲＳリソースをアクティブ化／非アクティブ化するためのＭＡＣ  ＣＥを送信することにより、前記端末が前記ＭＡＣ  ＣＥを受信すると、前記ＭＡＣ  ＣＥで指示されるＳＲＳリソースセットのＱＣＬ関連情報の基準信号タイプを前記端末に決定させることを含み、
前記基準信号タイプが、ＣＳＩ−ＲＳ、ＳＳＢ及びＳＲＳを含む、ＳＲＳリソースをアクティブ化／非アクティブ化する方法を提供する。
【００１４】
第７の態様では、本開示の実施例は、
ＳＲＳリソースをアクティブ化／非アクティブ化するためのＭＡＣ  ＣＥを受信するための受信モジュールと、
前記ＭＡＣ  ＣＥで指示されるＳＲＳリソースセットのＱＣＬ関連情報の基準信号タイプを決定するための決定モジュールとを含み、
前記基準信号タイプが、ＣＳＩ−ＲＳ、ＳＳＢ及びＳＲＳを含む、端末を提供する。
【００１５】
第８の態様では、本開示の実施例は、
端末に、ＳＲＳリソースをアクティブ化／非アクティブ化するためのＭＡＣ  ＣＥを送信することにより、前記端末が前記ＭＡＣ  ＣＥを受信すると、前記ＭＡＣ  ＣＥで指示されるＳＲＳリソースセットのＱＣＬ関連情報の基準信号タイプを前記端末に決定させるための送信モジュールを含み、
前記基準信号タイプが、ＣＳＩ−ＲＳ、ＳＳＢ及びＳＲＳを含む、ネットワーク側装置を提供する。
【００１６】
第９の態様では、本開示の実施例は、プロセッサと、メモリと、前記メモリ上に記憶されて前記プロセッサ上で動作可能で、前記プロセッサにより実行されると、上記ＣＳＩリソースタイプの決定方法のステップを実現するか、又は、前記プロセッサにより実行されると、上記ＳＲＳリソースの基準信号タイプの決定方法のステップを実現するコンピュータプログラムとを含む、端末を提供する。
【００１７】
第１０の態様では、本開示の実施例は、プロセッサと、メモリと、前記メモリ上に記憶されて前記プロセッサ上で動作可能で、前記プロセッサにより実行されると、上記ＣＳＩリソースをアクティブ化／非アクティブ化する方法のステップを実現するか、又は、前記プロセッサにより実行されると、上記ＳＲＳリソースの基準信号タイプの決定方法のステップを実現するコンピュータプログラムとを含む、ネットワーク側装置を提供する。
【００１８】
第１１の態様では、本開示の実施例は、プロセッサにより実行されると、上記ＣＳＩリソースタイプの決定方法のステップを実現するか、又は、プロセッサにより実行されると、上記ＣＳＩリソースをアクティブ化／非アクティブ化する方法のステップを実現するか、又は、プロセッサにより実行されると、上記ＳＲＳリソースの基準信号タイプの決定方法のステップを実現するか、又は、プロセッサにより実行されると、上記ＳＲＳリソースをアクティブ化／非アクティブ化する方法のステップを実現するコンピュータプログラムが記憶されているコンピュータ読み取り可能な記憶媒体を提供する。
【発明の効果】
【００１９】
本開示の実施例では、ＣＳＩリソースをアクティブ化／非アクティブ化するためのＭＡＣ  ＣＥで指示されるＣＳＩリソースセットのタイプ、又は、ＳＲＳリソースをアクティブ化／非アクティブ化するＭＡＣ  ＣＥで指示されるＳＲＳリソースの基準信号タイプを決定することができる。
【図面の簡単な説明】
【００２０】
【図１】本開示の１つの実施例に係るＣＳＩリソースタイプの決定方法の概略図である。
【図２】本開示の他の実施例に係るＣＳＩリソースタイプの決定方法の概略図である。
【図３】本開示の別の実施例に係るＣＳＩリソースタイプの決定方法の概略図である。
【図４】本開示の実施例に係るＣＳＩリソースをアクティブ化／非アクティブ化するためのＭＣＥ  ＣＥの内容の概略図である。
【図５】本開示の実施例に係るＣＳＩリソースをアクティブ化／非アクティブ化するためのＭＣＥ  ＣＥのヘッダの概略図である。
【図６】本開示の別の実施例に係るＣＳＩリソースタイプの決定方法の概略図である。
【図７】本開示の１つの実施例に係るＣＳＩリソースをアクティブ化／非アクティブ化する方法の概略図である。
【図８】本開示の１つの実施例に係る端末の概略図である。
【図９】本開示の１つの実施例に係るネットワーク側装置の概略図である。
【図１０】本開示の１つの実施例に係るＳＲＳリソースの基準信号タイプの決定方法の概略図である。
【図１１】〜［図１４］本開示の１つの実施例に係るＳＲＳリソースをアクティブ化／非アクティブ化するためのＭＣＥ  ＣＥの内容の概略図である。
【図１５】本開示の１つの実施例に係るＳＲＳリソースをアクティブ化／非アクティブ化する方法の概略図である。
【図１６】本開示の他の実施例に係る端末の概略図である。
【図１７】本開示の他の実施例に係るネットワーク側装置の概略図である。
【図１８】本開示の他の実施例に係る端末の概略図である。
【発明を実施するための形態】
【００２１】
以下、本開示の実施例における図面を参照しながら、本開示の実施例における技術手段を明確かつ完全的に記載する。明らかに、記載される実施例は、本開示の実施例の一部であり、全てではない。本開示の実施例に基づいて、当業者が創造的な労働をしない前提で得られた他の全ての実施例は、いずれも本開示の保護範囲に属するものである。
【００２２】
図１を参照して、本開示の実施例は、以下のステップ１１〜１２を含む、端末に適用されるＣＳＩリソースタイプの決定方法を提供する。
【００２３】
ステップ１１では、ＣＳＩリソースセットをアクティブ化／非アクティブ化するためのＭＡＣ  ＣＥを受信する。
【００２４】
ステップ１２では、前記ＭＡＣ  ＣＥで指示されるＣＳＩリソースセットのタイプを決定し、前記ＣＳＩリソースセットのタイプは、半永続的ＰＵＣＣＨ測定のための第１のタイプと、半永続的ＰＵＳＣＨ測定のための第２のタイプとを含む。
【００２５】
本開示の実施例では、ＣＳＩリソースセットをアクティブ化／非アクティブ化（アクティブ化又は非アクティブ化）するためのＭＡＣ  ＣＥは、少なくとも１つのＣＳＩリソースセットのアクティブ化／非アクティブ化状態を指示する。各ＣＳＩリソースセットは、１つ又は複数のＣＳＩリソースを含む。
【００２６】
本開示の実施例では、第１のタイプのＣＳＩリソースセットは、半永続的ＰＵＣＣＨの測定に用いられる。第２のタイプのＣＳＩリソースセットは、半永続的ＰＵＳＣＨの測定に用いられる。
【００２７】
本開示の実施例では、ＣＳＩリソースは、ＣＳＩ−ＲＳリソースであってもよいし、ＣＳＩ−ＩＭリソースであってもよい。
【００２８】
ＭＡＣ  ＣＥは、ＣＳＩ−ＲＳリソースセットのアクティブ化／非アクティブ化状態のみを指示してもよいし、ＣＳＩ−ＩＭリソースセットのアクティブ化／非アクティブ化状態のみを指示してもよいし、ＣＳＩ−ＲＳリソースセットとＣＳＩ−ＩＭリソースセットのアクティブ化／非アクティブ化状態を同時に指示してもよい。
【００２９】
本開示の実施例では、ＣＳＩリソースセットをアクティブ化／非アクティブ化するためのＭＡＣ  ＣＥを受信したとき、ＭＡＣ  ＣＥで指示されるＣＳＩリソースセットのタイプを決定する。これにより、半永続的ＰＵＣＣＨ測定のためのＣＳＩリソースセットと半永続的ＰＵＳＣＨ測定のためのＣＳＩリソースセットとが同じ番号を用いたときに、どのＣＳＩリソースセットをアクティブ化する必要があるかを区別できないという問題を回避することができる。
【００３０】
本開示の実施例における方法は、前記ＭＡＣ  ＣＥで指示されるＣＳＩリソースセットのタイプを決定するステップの後に、決定されたＭＡＣ  ＣＥで指示されるＣＳＩリソースセットのタイプに基づいて、対応するＣＳＩリソースセットをアクティブ化／非アクティブ化することをさらに、含む。
【００３１】
本開示の実施例では、複数の方式により前記ＭＡＣ  ＣＥで指示されるＣＳＩリソースセットのタイプを決定することができ、以下に例を挙げて説明する。
【００３２】
図２を参照して、本開示の他の実施例は、以下のステップ２１〜２３を含む、端末に適用されるＣＳＩリソースタイプの決定方法を提供する。
【００３３】
ステップ２１では、ネットワーク側が上位レイヤシグナリングにより送信する複数のＣＳＩリソースセットの設定情報を受信する。前記設定情報には、ＣＳＩリソースセットの番号が含まれる。前記複数のＣＳＩリソースセットは、前記第１のタイプのＣＳＩリソースセットと前記第２のタイプのＣＳＩリソースセットを含む。前記複数のＣＳＩリソースセットの番号において、異なるＣＳＩリソースを含むＣＳＩリソースセットの番号が異なる。
ステップ２２では、ネットワーク側から送信された、ＣＳＩリソースをアクティブ化／非アクティブ化するためのＭＡＣ  ＣＥを受信する。前記ＭＡＣ  ＣＥには、アクティブ化／非アクティブ化を必要とするＣＳＩリソースセットの番号が持たれる。
ステップ２３では、受信されたＭＡＣ  ＣＥで指示されるＣＳＩリソースセットの番号と、上位レイヤシグナリングで指示される複数のＣＳＩリソースセットの番号とに基づいて、前記ＭＡＣ  ＣＥで指示されるＣＳＩリソースセットのタイプを決定する。前記ＭＡＣ  ＣＥで指示されるＣＳＩリソースセットと前記上位レイヤシグナリングで指示されるＣＳＩリソースセットとは同じ番号付け方法を用いる。
【００３４】
本開示の実施例では、上位レイヤシグナリングで設定される半永続的ＰＵＣＣＨ測定のためのＣＳＩリソースセットと半永続的ＰＵＳＣＨ測定のためのＣＳＩリソースセットは、一括して番号付けされる。例えば、ＰＵＣＣＨのためのＣＳＩリソースセットが最大１６個であり、ＰＵＳＣＨのためのＣＳＩリソースセットが最大１６個であれば、これら２つのセットのＣＳＩリソースセットの番号を一括して０から３１まで番号付けする。
【００３５】
本開示のいくつかの実施例では、上位レイヤシグナリングで設定されるＰＵＣＣＨのためのＣＳＩリソースセットとＰＵＳＣＨのためのＣＳＩリソースセットにおける番号は、いずれも同じでなくてもよい。
【００３６】
本開示のいくつかの別の実施例では、上位レイヤシグナリングで設定されるＰＵＣＣＨのためのＣＳＩリソースセットとＰＵＳＣＨのためのＣＳＩリソースセットにおいて、前記複数のＣＳＩリソースセットの番号には、異なるＣＳＩリソースを含むＣＳＩリソースセットの番号が異なり、同じＣＳＩリソースを含むＣＳＩリソースセットの番号は同じである。例えば、ＰＵＣＣＨのためのＣＳＩリソースセットの番号は１、２、３であり、ＰＵＳＣＨのためのＣＳＩリソースセットの番号は３、２５、２８である。ＰＵＣＣＨのためのＣＳＩリソースセットと、ＰＵＳＣＨのためのＣＳＩリソースセットには、いずれも番号が３のＣＳＩリソースセットがある。これら２つのＣＳＩリソースセットにおけるＣＳＩリソースは同じであることを示す。
【００３７】
また、本開示の実施例では、前記ＭＡＣ  ＣＥで指示されるＣＳＩリソースセットと前記上位レイヤシグナリングで指示されるＣＳＩリソースセットとは、同じ番号付け方法を用いる。即ち、前記ＭＡＣ  ＣＥで指示されるＣＳＩリソースセットと前記上位レイヤシグナリングで指示されるＣＳＩリソースセットにおいて、同じＣＳＩリソースを含むＣＳＩリソースセットの番号は同じである。
【００３８】
したがって、本開示の実施例では、ＭＡＣ  ＣＥにアクティブ化／非アクティブ化を必要とするＣＳＩリソースセットの番号を持つことにより、端末は、該番号に基づいてアクティブ化／非アクティブ化を必要とするＣＳＩリソースセットを決定することができる。
【００３９】
図３を参照して、本開示の他の実施例は、以下のステップ３１〜３２を含む、端末に適用されるＣＳＩリソースタイプの決定方法を提供する。
【００４０】
ステップ３１では、ＣＳＩリソースセットをアクティブ化／非アクティブ化するためのＭＡＣ  ＣＥを受信した場合、前記ＭＡＣ  ＣＥで指示される少なくとも１つのＣＳＩリソースセットのタイプを指示するための、前記ＭＡＣ  ＣＥにおける所定ドメインの値を取得する。
ステップ３２では、前記ＭＡＣ  ＣＥにおける所定ドメインの値に基づいて、前記ＭＡＣ  ＣＥで指示される少なくとも１つのＣＳＩリソースセットのタイプを決定する。
【００４１】
本開示のいくつかの選択可能な実施例では、前記所定ドメインは、少なくとも１つのＣＳＩリソースセットのアクティブ化／非アクティブ化状態を指示する前記ＭＡＣ  ＣＥの内容におけるＲドメインであり、各ＣＳＩリソースセットは、それぞれ一つの所定ドメインに対応する。
【００４２】
図４は、本開示の実施例に係るＣＳＩリソースをアクティブ化／非アクティブ化するためのＭＣＥ  ＣＥの内容の概略図である。図４におけるＭＡＣ  ＣＥは、ｍ個のＣＳＩ−ＲＳリソースセット（Ｒｅｓｏｕｒｃｅ  Ｓｅｔ）とｍ個のＣＳＩ−ＩＭリソースセットのアクティブ化／非アクティブ化状態を指示する。図４におけるＳＰ  ＣＳＩ−ＲＳ  Ｒｅｓｏｕｒｃｅ  Ｓｅｔ  ＩＤは、ＣＳＩ−ＲＳリソースセットの番号を指示し、ＳＰ  ＣＳＩ−ＩＭ  Ｒｅｓｏｕｒｃｅ  Ｓｅｔ  ＩＤは、ＣＳＩ−ＩＭリソースセットの番号を指示する。各ＣＳＩ−ＲＳリソースセットと、各ＣＳＩ−ＩＭリソースセットとは、いずれも一つのＲドメインに対応し、Ｒドメインは、対応するＣＳＩリソースセット（ＣＳＩ−ＲＳリソースセット又はＣＳＩ−ＩＭリソースセット）のタイプがＰＵＣＣＨのためのＣＳＩリソースセットであるか、それともＰＵＳＣＨのためのＣＳＩリソースセットであるかを指示する。Ｒドメインの値は１ビットであってもよい。Ｒドメインの値が０である場合、対応するＣＳＩリソースセットはＰＵＣＣＨに用いられることを示し、Ｒドメインの値が１である場合、対応するＣＳＩリソースセットはＰＵＳＣＨに用いられることを示す。あるいは、Ｒドメインの値が１である場合、対応するＣＳＩリソースセットはＰＵＣＣＨに用いられることを示し、Ｒドメインの値が０である場合、対応するＣＳＩリソースセットはＰＵＳＣＨに用いられることを示す。
【００４３】
図４におけるＡ／Ｄドメインは、その直後のＳＰ  ＣＳＩ−ＲＳ  Ｒｅｓｏｕｒｃｅ  Ｓｅｔ  ＩＤ又はＳＰ  ＣＳＩ−ＩＭ  Ｒｅｓｏｕｒｃｅ  Ｓｅｔ  ＩＤのアクティブ化／非アクティブ化状態を指示することができる。Ａ／Ｄドメインは１ビットであってもよい。値が「１」であれば、アクティブ化を示し、値が「０」であれば、非アクティブ化を示す。当然のことながら、値が「０」であれば、アクティブ化を示し、値が「１」であれば、非アクティブ化を示してもよい。本開示の他のいくつかの実施例では、ＭＡＣ  ＣＥは、Ａ／Ｄドメインを含まなくてもよく、ＭＡＣ  ＣＥが持つ全てのＣＳＩリソースセットは、いずれもアクティブ化又は非アクティブ化であってもよい。
【００４４】
本開示の他のいくつかの選択可能な実施例では、前記所定ドメインは、前記ＭＡＣ  ＣＥのヘッダにおける論理チャネル識別子（Ｌｏｇｉｃａｌ  Ｃｈａｎｎｅｌ  Ｉｄｅｎｔｉｆｙ、ＬＣＩＤ）ドメインであり、前記ＭＡＣ  ＣＥのヘッダにおけるＬＣＩＤドメインの値は、前記ＭＡＣ  ＣＥで指示される全てのＣＳＩリソースセットのタイプを指示する。
【００４５】
図５は、本開示の実施例に係るＣＳＩリソースをアクティブ化／非アクティブ化するためのＭＣＥ  ＣＥのヘッダ（ｈｅａｄｅｒ）の概略図であり、本開示の実施例では、ＭＡＣ  ＣＥのヘッダにおけるＬＣＩＤドメインを用いて、前記ＭＡＣ  ＣＥで指示される全てのＣＳＩリソースセットのタイプを指示することができる。
【００４６】
本開示の他のいくつかの選択可能な実施例では、前記所定ドメインは、前記ＭＡＣ  ＣＥのヘッダにおけるＲドメインであってもよい。前記ＭＡＣ  ＣＥのヘッダにおけるＲドメインの値は、前記ＭＡＣ  ＣＥで指示される全てのＣＳＩリソースセットのタイプを指示する。Ｒドメインの値は１ビットであってもよい。Ｒドメインの値が０である場合、ＭＡＣ  ＣＥで指示される全てのＣＳＩリソースセットはＰＵＣＣＨに用いられることを示し、Ｒドメインの値が１である場合、ＭＡＣ  ＣＥで指示される全てのＣＳＩリソースセットはＰＵＳＣＨに用いられることを示すことができる。あるいは、Ｒドメインの値が１である場合、ＭＡＣ  ＣＥで指示される全てのＣＳＩリソースセットはＰＵＣＣＨに用いられることを示し、Ｒドメインの値が０である場合、ＭＡＣ  ＣＥで指示される全てのＣＳＩリソースセットはＰＵＳＣＨに用いられることを示すことができる。
【００４７】
図６を参照して、本開示の他の実施例は、以下のステップ６１〜６４を含む、端末に適用されるＣＳＩリソースタイプの決定方法を提供する。
【００４８】
ステップ６１では、ネットワーク側が上位レイヤシグナリングにより送信する複数のＣＳＩリソースセットの設定情報を受信する。前記設定情報には、ＣＳＩリソースセットの番号が含まれる。前記複数のＣＳＩリソースセットは、前記第１のタイプのＣＳＩリソースセットと前記第２のタイプのＣＳＩリソースセットを含む。
ステップ６２では、ネットワーク側から送信された、ＣＳＩリソースをアクティブ化／非アクティブ化するためのＭＡＣ  ＣＥを受信する。前記ＭＡＣ  ＣＥには、アクティブ化／非アクティブ化を必要とするＣＳＩリソースセットの番号が持たれる。
ステップ６３では、上位レイヤシグナリングで指示される複数のＣＳＩリソースセットの番号と対応するマッピング関係を有する、前記ＭＡＣ  ＣＥで指示されるＣＳＩリソースセットの番号を取得する。
ステップ６４では、前記ＭＡＣ  ＣＥで指示されるＣＳＩリソースセットの番号と、上位レイヤシグナリングで指示される前記複数のＣＳＩリソースセットの番号とのマッピング関係に基づいて、前記ＭＡＣ  ＣＥで指示されるＣＳＩリソースセットのタイプを決定する。
【００４９】
本開示の実施例では、上位レイヤシグナリングで設定されるＣＳＩリソースセットの番号を変えることなく、ＭＡＣ  ＣＥで指示されるＣＳＩリソースセットの番号を再解釈し、上位レイヤシグナリングで設定されるＣＳＩリソースセットの番号と、ＭＡＣ  ＣＥにおけるＣＳＩリソースセットの番号とのマッピング関係を決定する。これにより、該マッピング関係に基づいて、ＭＡＣ  ＣＥで指示されるＣＳＩリソースセットのタイプを決定する。
【００５０】
例えば、ＰＵＣＣＨのためのＣＳＩリソースセットの最大値はいずれも１６であり、ＰＵＳＣＨのためのＣＳＩリソースセットの最大値も１６であれば、これら２つのセットはいずれも０から１５まで番号付けすることができる。しかしながら、ＭＡＣ  ＣＥで指示されるＣＳＩリソースセットの番号は、０から３１まで番号付けされ、かつ、ＭＡＣ  ＣＥで指示されるＣＳＩリソースセットの番号０〜１５は、ＰＵＣＣＨのためのＣＳＩリソースセットの番号０〜１５にマッピングされ、ＭＡＣ  ＣＥで指示されるＣＳＩリソースセットの番号１６〜３１は、ＰＵＳＣＨのためのＣＳＩリソースセットの番号０〜１５にマッピングされる。逆に、ＭＡＣ  ＣＥで指示されるＣＳＩリソースセットの番号０〜１５は、ＰＵＳＣＨのためのＣＳＩリソースセットの番号０〜１５にマッピングされ、ＭＡＣ  ＣＥで指示されるＣＳＩリソースセットの番号１６〜３１は、ＰＵＣＣＨのためのＣＳＩリソースセットの番号０〜１５にマッピングされてもよい。端末は、ＭＡＣ  ＣＥを受信すると、上記マッピング関係に基づいて、ＭＡＣ  ＣＥで指示されるＣＳＩリソースセットのタイプを決定する。
【００５１】
上記マッピング関係は、プロトコルで予め定義されるか又はネットワーク側で設定される。
【００５２】
図７は、本開示の実施例におけるＣＳＩリソースをアクティブ化／非アクティブ化する方法を示す。該方法は、ネットワーク側装置に適用され、以下のステップ７１を含む。
【００５３】
ステップ７１では、端末に、ＣＳＩリソースをアクティブ化／非アクティブ化するためのＭＡＣ  ＣＥを送信することにより、端末が前記ＭＡＣ  ＣＥを受信すると、前記ＭＡＣ  ＣＥで指示されるＣＳＩリソースセットのタイプを前記端末に決定させる。前記ＣＳＩリソースセットのタイプは、半永続的ＰＵＣＣＨ測定のための第１のタイプと、半永続的ＰＵＳＣＨ測定のための第２のタイプとを含む。
【００５４】
本開示のいくつかの実施例では、端末に、ＣＳＩリソースをアクティブ化／非アクティブ化するためのＭＡＣ  ＣＥを送信するステップの前に、上位レイヤシグナリングにより前記端末に複数のＣＳＩリソースセットの設定情報を送信することをさらに含む。前記設定情報には、ＣＳＩリソースセットの番号が含まれる。前記複数のＣＳＩリソースセットは、前記第１のタイプのＣＳＩリソースセットと前記第２のタイプのＣＳＩリソースセットを含む。前記複数のＣＳＩリソースセットの番号において、異なるＣＳＩリソースを含むＣＳＩリソースセットの番号が異なる。前記ＭＡＣ  ＣＥは、アクティブ化／非アクティブ化を必要とするＣＳＩリソースセットの番号を持たせ、前記ＭＡＣ  ＣＥで指示されるＣＳＩリソースセットと前記上位レイヤシグナリングで指示されるＣＳＩリソースセットとは、同じ番号付け方法を用いる。
【００５５】
本開示の他のいくつかの実施例では、前記ＭＡＣ  ＣＥは、所定ドメインを含み、前記所定ドメインの値は、前記ＭＡＣ  ＣＥで指示される少なくとも１つのＣＳＩリソースセットのタイプを指示する。
【００５６】
選択可能に、前記所定ドメインは、少なくとも１つのＣＳＩリソースセットのアクティブ化／非アクティブ化状態を指示する前記ＭＡＣ  ＣＥの内容におけるＲドメインであり、各ＣＳＩリソースセットは、それぞれ一つの前記所定ドメインに対応する。
【００５７】
あるいは、前記所定ドメインは、前記ＭＡＣ  ＣＥのヘッダにおけるＬＣＩＤドメイン又は前記ＭＡＣ  ＣＥのヘッダにおけるＲドメインである。前記ＭＡＣ  ＣＥのヘッダにおけるＬＣＩＤドメイン又は前記ＭＡＣ  ＣＥのヘッダにおけるＲドメインの値が前記ＭＡＣ  ＣＥで指示される全てのＣＳＩリソースセットのタイプを指示する。
【００５８】
本開示の他のいくつかの実施例では、端末に、ＣＳＩリソースをアクティブ化／非アクティブ化するためのＭＡＣ  ＣＥを送信するステップの前に、上位レイヤシグナリングにより前記端末に複数のＣＳＩリソースセットの設定情報を送信することをさらに含む。前記設定情報には、ＣＳＩリソースセットの番号が含まれ、前記複数のＣＳＩリソースセットは、前記第１のタイプのＣＳＩリソースセットと前記第２のタイプのＣＳＩリソースセットを含む。前記ＭＡＣ  ＣＥに、アクティブ化／非アクティブ化を必要とするＣＳＩリソースセットの番号を持たせ、前記ＭＡＣ  ＣＥで指示されるＣＳＩリソースセットの番号と上位レイヤシグナリングで指示される複数のＣＳＩリソースセットの番号とは、対応するマッピング関係を有する。
【００５９】
上記ＣＳＩリソースは、ＣＳＩ−ＲＳリソース又はＣＳＩ−ＩＭリソースである。
【００６０】
図８を参照して、本開示の実施例は、
ＣＳＩリソースセットをアクティブ化／非アクティブ化するためのＭＡＣ  ＣＥを受信するための第１の受信モジュール８１と、
前記ＭＡＣ  ＣＥで指示されるＣＳＩリソースセットのタイプを決定するための決定モジュール８２とを含み、
前記ＣＳＩリソースセットのタイプが、半永続的ＰＵＣＣＨ測定のための第１のタイプと、半永続的ＰＵＳＣＨ測定のための第２のタイプとを含む、端末８０を提供する。
【００６１】
本開示のいくつかの選択可能な実施例では、前記端末は、
ネットワーク側が上位レイヤシグナリングにより送信する複数のＣＳＩリソースセットの設定情報を受信するための第２の受信モジュールをさらに含む。
前記設定情報には、ＣＳＩリソースセットの番号が含まれ、前記複数のＣＳＩリソースセットは、前記第１のタイプのＣＳＩリソースセットと前記第２のタイプのＣＳＩリソースセットを含み、前記複数のＣＳＩリソースセットの番号において、異なるＣＳＩリソースを含むＣＳＩリソースセットの番号が異なり、
前記ＭＡＣ  ＣＥにアクティブ化／非アクティブ化を必要とするＣＳＩリソースセットの番号を持たせる。前記決定モジュール８２は、前記ＭＡＣ  ＣＥで指示されるＣＳＩリソースセットの番号と、上位レイヤシグナリングで指示される複数のＣＳＩリソースセットの番号とに基づいて、前記ＭＡＣ  ＣＥで指示されるＣＳＩリソースセットのタイプを決定する。前記ＭＡＣ  ＣＥで指示されるＣＳＩリソースセットと前記上位レイヤシグナリングで指示されるＣＳＩリソースセットとは同じ番号付け方法を用いる。
【００６２】
本開示のいくつかの選択可能な実施例では、前記決定モジュールは、
前記ＭＡＣ  ＣＥで指示される少なくとも１つのＣＳＩリソースセットのタイプを指示するための、前記ＭＡＣ  ＣＥにおける所定ドメインの値を取得するための取得サブモジュールと、
前記ＭＡＣ  ＣＥにおける所定ドメインの値に基づいて、前記ＭＡＣ  ＣＥで指示される少なくとも１つのＣＳＩリソースセットのタイプを決定するための実行サブモジュールとを含む。
【００６３】
選択可能に、前記所定ドメインは、少なくとも１つのＣＳＩリソースセットのアクティブ化／非アクティブ化状態を指示する前記ＭＡＣ  ＣＥの内容におけるＲドメインであり、各ＣＳＩリソースセットは、それぞれ一つの前記所定ドメインに対応する。
【００６４】
あるいは、前記所定ドメインは、前記ＭＡＣ  ＣＥのヘッダにおけるＬＣＩＤドメイン又は前記ＭＡＣ  ＣＥのヘッダにおけるＲドメインである。前記ＭＡＣ  ＣＥのヘッダにおけるＬＣＩＤドメイン又は前記ＭＡＣ  ＣＥのヘッダにおけるＲドメインの値が前記ＭＡＣ  ＣＥで指示される全てのＣＳＩリソースセットのタイプを指示する。
【００６５】
本開示のいくつかの選択可能な実施例では、前記端末は、
ネットワーク側が上位レイヤシグナリングにより送信する複数のＣＳＩリソースセットの設定情報を受信するための第３の受信モジュールをさらに含む。前記設定情報には、ＣＳＩリソースセットの番号が含まれ、前記複数のＣＳＩリソースセットは、前記第１のタイプのＣＳＩリソースセットと前記第２のタイプのＣＳＩリソースセットを含む。
前記ＭＡＣ  ＣＥにアクティブ化／非アクティブ化を必要とするＣＳＩリソースセットの番号を持たせる。前記決定モジュールは、上位レイヤシグナリングで指示される複数のＣＳＩリソースセットの番号と対応するマッピング関係を有する、前記ＭＡＣ  ＣＥで指示されるＣＳＩリソースセットの番号を取得する。前記ＭＡＣ  ＣＥで指示されるＣＳＩリソースセットの番号と、上位レイヤシグナリングで指示される前記複数のＣＳＩリソースセットの番号とのマッピング関係に基づいて、前記ＭＡＣ  ＣＥで指示されるＣＳＩリソースセットのタイプを決定する。
【００６６】
前記マッピング関係は、プロトコルで予め定義されるか又はネットワーク側で設定される。
【００６７】
前記ＣＳＩリソースは、ＣＳＩ−ＲＳリソース又はＣＳＩ−ＩＭリソースである。
【００６８】
図９を参照して、本開示の実施例は、
端末に、ＣＳＩリソースをアクティブ化／非アクティブ化するためのＭＡＣ  ＣＥを送信することにより、端末が前記ＭＡＣ  ＣＥを受信すると、前記ＭＡＣ  ＣＥで指示されるＣＳＩリソースセットのタイプを前記端末に決定させるための第１の送信モジュール９１を含み、前記ＣＳＩリソースセットのタイプが、半永続的物理アップリンク制御チャネルＰＵＣＣＨ測定のための第１のタイプと、半永続的物理アップリンク共有チャネルＰＵＳＣＨ測定のための第２のタイプとを含む、ネットワーク側装置９０を提供する。
【００６９】
本開示のいくつかの選択可能な実施例では、前記ネットワーク側装置は、
上位レイヤシグナリングにより前記端末に複数のＣＳＩリソースセットの設定情報を送信するための第２の送信モジュールをさらに含み、前記設定情報には、ＣＳＩリソースセットの番号が含まれ、前記複数のＣＳＩリソースセットは、前記第１のタイプのＣＳＩリソースセットと前記第２のタイプのＣＳＩリソースセットを含み、前記複数のＣＳＩリソースセットの番号において、異なるＣＳＩリソースを含むＣＳＩリソースセットの番号が異なり、前記ＭＡＣ  ＣＥは、アクティブ化／非アクティブ化を必要とするＣＳＩリソースセットの番号を持たせ、前記ＭＡＣ  ＣＥで指示されるＣＳＩリソースセットと前記上位レイヤシグナリングで指示されるＣＳＩリソースセットとは、同じ番号付け方法を用いる。
【００７０】
本開示のいくつかの選択可能な実施例では、前記ＭＡＣ  ＣＥは、所定ドメインを含み、前記所定ドメインの値は、前記ＭＡＣ  ＣＥで指示される少なくとも１つのＣＳＩリソースセットのタイプを指示する。
【００７１】
選択可能に、前記所定ドメインは、少なくとも１つのＣＳＩリソースセットのアクティブ化／非アクティブ化状態を指示する前記ＭＡＣ  ＣＥの内容におけるＲドメインであり、各ＣＳＩリソースセットは、それぞれ一つの前記所定ドメインに対応する。
【００７２】
あるいは、前記所定ドメインは、前記ＭＡＣ  ＣＥのヘッダにおけるＬＣＩＤドメイン又は前記ＭＡＣ  ＣＥのヘッダにおけるＲドメインである。前記ＭＡＣ  ＣＥのヘッダにおけるＬＣＩＤドメイン又は前記ＭＡＣ  ＣＥのヘッダにおけるＲドメインの値が前記ＭＡＣ  ＣＥで指示される全てのＣＳＩリソースセットのタイプを指示する。
【００７３】
本開示のいくつかの選択可能な実施例では、前記ネットワーク側装置は、
上位レイヤシグナリングにより前記端末に複数のＣＳＩリソースセットの設定情報を送信するための第３の送信モジュールをさらに含み、前記設定情報には、ＣＳＩリソースセットの番号が含まれ、前記複数のＣＳＩリソースセットは、前記第１のタイプのＣＳＩリソースセットと前記第２のタイプのＣＳＩリソースセットを含み、前記ＭＡＣ  ＣＥにアクティブ化／非アクティブ化を必要とするＣＳＩリソースセットの番号を持たせ、前記ＭＡＣ  ＣＥで指示されるＣＳＩリソースセットの番号と上位レイヤシグナリングで指示される複数のＣＳＩリソースセットの番号とは、対応するマッピング関係を有する。
【００７４】
前記マッピング関係は、プロトコルで予め定義されるか又はネットワーク側装置で設定される。
【００７５】
前記ＣＳＩリソースは、ＣＳＩ−ＲＳリソース又はＣＳＩ−ＩＭリソースである。
【００７６】
本開示の実施例は、プロセッサと、メモリと、前記メモリに記憶されて前記プロセッサ上で動作可能で、前記プロセッサによって実行されると、上記ＣＳＩリソースタイプの決定方法のステップを実現するコンピュータプログラムとを含む、端末をさらに提供する。
【００７７】
本開示の実施例は、プロセッサと、メモリと、前記メモリに記憶されて前記プロセッサ上で動作可能で、前記プロセッサによって実行されると、上記ＣＳＩリソースをアクティブ化／非アクティブ化する方法のステップを実現するコンピュータプログラムとを含む、ネットワーク側装置をさらに提供する。
【００７８】
本開示の実施例は、プロセッサにより実行されると、上記ＣＳＩリソースタイプの決定方法のステップを実現するか、又は、プロセッサにより実行されると、上記ＣＳＩリソースをアクティブ化／非アクティブ化する方法のステップを実現するコンピュータプログラムが記憶されているコンピュータ読み取り可能な記憶媒体をさらに提供する。前記コンピュータ読み取り可能な記憶媒体は、読み取り専用メモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、ディスク又は光ディスク等であってよい。
【００７９】
上記実施例は、ＣＳＩリソースをアクティブ化／非アクティブ化するためのＭＡＣ  ＣＥで指示されるＣＳＩリソースセットのタイプがＰＵＣＣＨのためのＣＳＩリソースセットであるか、それともＰＵＳＣＨのためのＣＳＩリソースセットであるかを決定する。
【００８０】
関連技術における新無線（Ｎｅｗ  Ｒａｔｉｏ、ＮＲ）の結論によれば、半永続的サウンディング基準信号（Ｓｏｕｎｄｉｎｇ  Ｒｅｆｅｒｅｎｃｅ  Ｓｉｇｎａｌ、ＳＲＳ）は、アクティブ化／非アクティブ化機能を有し、かつＭＡＣ  ＣＥにより実現することができる。半永続的ＳＲＳをアクティブ化／非アクティブ化するためのＭＡＣ  ＣＥは、少なくとも１つのＳＲＳリソースセットのアクティブ化／非アクティブ化状態を指示することができる。ＳＲＳリソースセットの準コロケーション（Ｑｕａｓｉ  −  ｃｏｌｏｃａｔｉｏｎ、ＱＣＬ）関連情報の基準信号タイプが、ＣＳＩ−ＲＳ、同期信号ブロック（Ｓｙｎｃｈｒｏｎｉｚａｔｉｏｎ  Ｓｉｇｎａｌ  Ｂｌｏｃｋ、ＳＳＢ）及びサウンディング基準信号（Ｓｏｕｎｄｉｎｇ  Ｒｅｆｅｒｅｎｃｅ  Ｓｉｇｎａｌ、ＳＲＳ）を含むため、どのようにＳＲＳリソースセットのＱＣＬ関連情報の基準信号タイプを決定するかは、早急に解決すべき技術的問題となる。ＱＣＬは、空間的関係（ｓｐａｔｉａｌ  ｒｅｌａｔｉｏｎｓｈｉｐ）を表す。
【００８１】
図１０を参照して、本開示の実施例は、以下のステップ１０１〜１０２を含む、端末に適用されるＳＲＳリソースの基準信号タイプの決定方法を提供する。
【００８２】
ステップ１０１では、ＳＲＳリソースをアクティブ化／非アクティブ化するためのＭＡＣ  ＣＥを受信する。
ステップ１０２では、前記ＭＡＣ  ＣＥで指示されるＳＲＳリソースセットのＱＣＬ関連情報の基準信号タイプを決定する。前記基準信号タイプは、ＣＳＩ−ＲＳ、ＳＳＢ及びＳＲＳを含む。
【００８３】
本開示の実施例では、ＳＲＳリソースセットをアクティブ化／非アクティブ化（アクティブ化又は非アクティブ化）するためのＭＡＣ  ＣＥは、少なくとも１つのＳＲＳリソースセットのアクティブ化／非アクティブ化状態を指示してもよく、各ＳＲＳリソースセットは、１つ又は複数のＳＲＳリソースを含む。
【００８４】
本開示の実施例では、ＳＲＳリソースセットをアクティブ化／非アクティブ化するためのＭＡＣ  ＣＥを受信するときに、ＭＡＣ  ＣＥで指示されるＳＲＳリソースセットのＱＣＬ関連情報の基準信号タイプを決定することにより、ＳＲＳリソースセットに対して正確な基準信号を決定することができる。
【００８５】
本開示のいくつかの選択可能な実施例では、前記ＭＡＣ  ＣＥで指示されるＱＣＬ関連情報の基準信号タイプを決定するステップは、
前記ＭＡＣ  ＣＥで指示される少なくとも１つのＳＲＳリソースセットのＱＣＬ関連情報の基準信号タイプを指示するための、前記ＭＡＣ  ＣＥにおける所定ドメインの値を取得することと、
前記ＭＡＣ  ＣＥにおける所定ドメインの値に基づいて、前記ＭＡＣ  ＣＥで指示される少なくとも１つのＳＲＳリソースセットのＱＣＬ関連情報の基準信号タイプを決定することとを含む。
【００８６】
本開示のいくつかの選択可能な実施例では、前記所定ドメインは、前記ＭＡＣ  ＣＥの内容におけるＶ１ドメインを含み、前記ＭＡＣ  ＣＥは、少なくとも１つのＳＲＳリソースセットのアクティブ化／非アクティブ化状態を指示し、各ＳＲＳリソースセットは、一つの前記Ｖ１ドメインに対応し、前記Ｖ１ドメインにおける値が第１の値である場合、対応するＳＲＳリソースセットのＱＣＬ関連情報の基準信号タイプはＣＳＩ−ＲＳであることを指示し、前記Ｖ１ドメインにおける値が第２の値である場合、対応するＳＲＳリソースセットのＱＣＬ関連情報の基準信号タイプはＳＳＢ又はＳＲＳであることを指示する。
【００８７】
さらに、前記所定ドメインは、前記ＭＡＣ  ＣＥの内容におけるＶ２ドメインをさらに含み、前記Ｖ２ドメインにおける値は、対応するＳＲＳリソースセットのＱＣＬ関連情報の基準信号タイプがＳＳＢ又はＳＲＳであることを指示する。
【００８８】
図１１は、本開示の実施例に係るＳＲＳリソースをアクティブ化／非アクティブ化するためのＭＣＥ  ＣＥの内容の概略図である。図１１におけるＳＰ  ＳＲＳ  Ｒｅｓｏｕｒｃｅ  Ｓｅｔ  ＩＤ１は、アクティブ化／非アクティブ化を必要とするＳＲＳリソースセットの番号を指示し、ＲＳＩＤは、ＳＲＳリソースセットのＱＣＬ関連情報の基準信号の番号を指示し、各基準信号は、それぞれ一つのＶ１ドメインに対応する。例えば、前記Ｖ１ドメインにおける値が１である場合、対応する基準信号のタイプはＣＳＩ−ＲＳであることを指示し、前記Ｖ１ドメインにおける値が０である場合、対応する基準信号のタイプはＳＳＢ又はＳＲＳであることを指示する。あるいは、前記Ｖ１ドメインにおける値が０である場合、対応する基準信号のタイプはＣＳＩ−ＲＳであることを指示し、前記Ｖ１ドメインにおける値が１である場合、対応する基準信号のタイプはＳＳＢ又はＳＲＳであることを指示する。
【００８９】
さらに、図１２〜図１４を参照して、ＳＲＳリソースをアクティブ化／非アクティブ化するためのＭＡＣ  ＣＥの内容には、さらにＶ２ドメインを含み、前記Ｖ２ドメインにおける値は、対応するＳＲＳリソースセットのＱＣＬ関連情報の基準信号タイプがＳＳＢ又はＳＲＳであることを指示する。例えば、前記Ｖ２ドメインにおける値が０である場合、対応する基準信号のタイプはＳＳＢであることを指示し、前記Ｖ２ドメインにおける値が１である場合、対応する基準信号のタイプはＳＲＳであることを指示する。あるいは、前記Ｖ２ドメインにおける値が１である場合、対応する基準信号のタイプはＳＳＢであることを指示し、前記Ｖ２ドメインにおける値が０である場合、対応する基準信号のタイプはＳＲＳであることを指示する。
【００９０】
図１５を参照して、本開示の実施例は、ネットワーク側装置に適用されるＳＲＳリソースをアクティブ化／非アクティブ化する方法をさらに提供する。該方法は、ステップ１５１を含む。
【００９１】
ステップ１５１では、端末に、ＳＲＳリソースをアクティブ化／非アクティブ化するためのＭＡＣ  ＣＥを送信することにより、前記端末が前記ＭＡＣ  ＣＥを受信すると、前記ＭＡＣ  ＣＥで指示されるＳＲＳリソースセットのＱＣＬ関連情報の基準信号タイプを前記端末に決定させる。前記基準信号タイプは、ＣＳＩ−ＲＳ、ＳＳＢ及びＳＲＳを含む。
【００９２】
選択可能に、前記ＭＡＣ  ＣＥは、所定ドメインを含み、前記所定ドメインの値は、前記ＭＡＣ  ＣＥで指示される少なくとも１つのＳＲＳリソースセットのＱＣＬ関連情報の基準信号タイプを指示する。
【００９３】
選択可能に、前記所定ドメインは、前記ＭＡＣ  ＣＥの内容におけるＶ１ドメインを含み、前記ＭＡＣ  ＣＥは、少なくとも１つのＳＲＳリソースセットのアクティブ化／非アクティブ化状態を指示し、各ＳＲＳリソースセットは、一つの前記Ｖ１ドメインに対応し、前記Ｖ１ドメインにおける値が第１の値である場合、対応するＳＲＳリソースセットのＱＣＬ関連情報の基準信号タイプはＣＳＩ−ＲＳであることを指示し、前記Ｖ１ドメインにおける値が第２の値である場合、対応するＳＲＳリソースセットのＱＣＬ関連情報の基準信号タイプはＳＳＢ又はＳＲＳであることを指示する。
【００９４】
さらに、選択可能に、前記所定ドメインは、前記ＭＡＣ  ＣＥの内容におけるＶ２ドメインをさらに含み、前記Ｖ２ドメインにおける値は、対応するＳＲＳリソースセットのＱＣＬ関連情報の基準信号タイプがＳＳＢ又はＳＲＳであることを指示する。
【００９５】
図１６を参照して、本開示の実施例は、さらに、
ＳＲＳリソースをアクティブ化／非アクティブ化するためのＭＡＣ  ＣＥを受信するための受信モジュール１６１と、
ＳＲＳリソースをアクティブ化／非アクティブ化するためのＭＡＣ  ＣＥを受信したときに、前記ＭＡＣ  ＣＥで指示されるＳＲＳリソースセットのＱＣＬ関連情報の基準信号タイプを決定するための決定モジュール１６２とを含み、
前記基準信号タイプが、ＣＳＩ−ＲＳ、ＳＳＢ及びＳＲＳを含む、端末１６０を提供する。
【００９６】
選択可能に、前記決定モジュール１６２は、前記ＭＡＣ  ＣＥで指示される少なくとも１つのＳＲＳリソースセットのＱＣＬ関連情報の基準信号タイプを指示するための、前記ＭＡＣ  ＣＥにおける所定ドメインの値を取得し、前記ＭＡＣ  ＣＥにおける所定ドメインの値に基づいて、前記ＭＡＣ  ＣＥで指示される少なくとも１つのＳＲＳリソースセットのＱＣＬ関連情報の基準信号タイプを決定する。
【００９７】
選択可能に、前記所定ドメインは、前記ＭＡＣ  ＣＥの内容におけるＶ１ドメインを含み、前記ＭＡＣ  ＣＥは、少なくとも１つのＳＲＳリソースセットのアクティブ化／非アクティブ化状態を指示し、各ＳＲＳリソースセットは、一つの前記Ｖ１ドメインに対応し、前記Ｖ１ドメインにおける値が第１の値である場合、対応するＳＲＳリソースセットのＱＣＬ関連情報の基準信号タイプはＣＳＩ−ＲＳであることを指示し、前記Ｖ１ドメインにおける値が第２の値である場合、対応するＳＲＳリソースセットのＱＣＬ関連情報の基準信号タイプはＳＳＢ又はＳＲＳであることを指示する。
【００９８】
さらに、選択可能に、前記所定ドメインは、前記ＭＡＣ  ＣＥの内容におけるＶ２ドメインをさらに含み、前記Ｖ２ドメインにおける値は、対応するＳＲＳリソースセットのＱＣＬ関連情報の基準信号タイプがＳＳＢ又はＳＲＳであることを指示する。
【００９９】
図１７を参照して、本開示の実施例は、さらに、
端末に、ＳＲＳリソースをアクティブ化／非アクティブ化するためのＭＡＣ  ＣＥを送信することにより、前記端末が前記ＭＡＣ  ＣＥを受信すると、前記ＭＡＣ  ＣＥで指示されるＳＲＳリソースセットのＱＣＬ関連情報の基準信号タイプを前記端末に決定させるための送信モジュールを含み、前記基準信号タイプが、ＣＳＩ−ＲＳ、ＳＳＢ及びＳＲＳを含む、ネットワーク側装置１７０を提供する。
【０１００】
選択可能に、前記ＭＡＣ  ＣＥは、所定ドメインを含み、前記所定ドメインの値は、前記ＭＡＣ  ＣＥで指示される少なくとも１つのＳＲＳリソースセットのＱＣＬ関連情報の基準信号タイプを指示する。
【０１０１】
選択可能に、前記所定ドメインは、前記ＭＡＣ  ＣＥの内容におけるＶ１ドメインを含み、前記ＭＡＣ  ＣＥは、少なくとも１つのＳＲＳリソースセットのアクティブ化／非アクティブ化状態を指示し、各ＳＲＳリソースセットは、一つの前記Ｖ１ドメインに対応し、前記Ｖ１ドメインにおける値が第１の値である場合、対応するＳＲＳリソースセットのＱＣＬ関連情報の基準信号タイプはＣＳＩ−ＲＳであることを指示し、前記Ｖ１ドメインにおける値が第２の値である場合、対応するＳＲＳリソースセットのＱＣＬ関連情報の基準信号タイプはＳＳＢ又はＳＲＳであることを指示する。
【０１０２】
さらに、選択可能に、前記所定ドメインは、前記ＭＡＣ  ＣＥの内容におけるＶ２ドメインをさらに含み、前記Ｖ２ドメインにおける値は、対応するＳＲＳリソースセットのＱＣＬ関連情報の基準信号タイプがＳＳＢ又はＳＲＳであることを指示する。
【０１０３】
本開示の実施例は、プロセッサと、メモリと、前記メモリに記憶されて前記プロセッサ上で動作可能で、前記プロセッサによって実行されると、上記ＳＲＳリソースの基準信号タイプの決定方法のステップを実現するコンピュータプログラムとを含む、端末をさらに提供する。
【０１０４】
本開示の実施例は、プロセッサと、メモリと、前記メモリに記憶されて前記プロセッサ上で動作可能で、前記プロセッサによって実行されると、上記ＳＲＳリソースの基準信号タイプの決定方法のステップを実現するコンピュータプログラムとを含む、ネットワーク側装置をさらに提供する。
【０１０５】
本開示の実施例は、プロセッサにより実行されると、上記ＳＲＳリソースの基準信号タイプの決定方法のステップを実現するか、又は、プロセッサにより実行されると、上記ＳＲＳリソースをアクティブ化／非アクティブ化する方法のステップを実現するコンピュータプログラムが記憶されているコンピュータ読み取り可能な記憶媒体を提供する。前記コンピュータ読み取り可能な記憶媒体は、読み取り専用メモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、ディスク又は光ディスク等であってよい。
【０１０６】
本開示の上記方法及び装置は、５Ｇシステム、ＬＴＥ進化通信システム、又は将来の他の通信システムに適用することができる。
【０１０７】
図１８は、本開示の各実施例を実現する携帯端末のハードウェア構成概略図であり、該携帯端末１８０は、無線周波数ユニット１８１、ネットワークモジュール１８２、オーディオ出力ユニット１８３、入力ユニット１８４、センサ１８５、表示ユニット１８６、ユーザ入力ユニット１８７、インタフェースユニット１８８、メモリ１８９、プロセッサ１８１０及び電源１８１１等の部品を含むが、これらに限定されない。当業者が理解できるように、図１に示す携帯端末構成は、携帯端末を限定するものではなく、携帯端末は、図示より多いか又は少ない部品を含んでよく、ある部品を組み合わせたり、異なる部品を配置したりしてもよい。本開示の実施例では、携帯端末は、携帯電話、タブレット、ノートパソコン、ハンドトップ、車載端末、ウェアラブルデバイス及び歩数計等を含むが、これらに限定されない。
【０１０８】
無線周波数ユニット１８１は、ＣＳＩリソースセットをアクティブ化／非アクティブ化するためのＭＡＣ  ＣＥを受信する。
プロセッサ１８１０は、前記ＭＡＣ  ＣＥで指示されるＣＳＩリソースセットのタイプを決定する。前記ＣＳＩリソースセットのタイプは、ＰＵＣＣＨ測定のための第１のタイプと、半永続的ＰＵＳＣＨ測定のための第２のタイプとを含む。
【０１０９】
あるいは、
無線周波数ユニット１８１は、ＳＲＳリソースをアクティブ化／非アクティブ化するためのＭＡＣ  ＣＥを受信する。
プロセッサ１８１０は、前記ＭＡＣ  ＣＥで指示されるＳＲＳリソースセットのＱＣＬ関連情報の基準信号タイプを決定する。前記基準信号タイプは、ＣＳＩ−ＲＳ、ＳＳＢ及びＳＲＳを含む。
【０１１０】
理解すべきこととして、本開示の実施例では、無線周波数ユニット１８１が情報の送受信、又は通話中の信号の送受信に用いられてよく、具体的には、基地局からのダウンリンクデータを受信した後、プロセッサ１８１０に処理させ、また、アップリンクデータを基地局に送信する。一般に、無線周波数ユニット１８１は、アンテナ、少なくとも１つの増幅器、送受信機、結合器、低雑音増幅器、デュプレクサ等を含むが、これらに限定されない。また、無線周波数ユニット１８１は、無線通信システムを介してネットワーク及び他の装置と通信してもよい。
【０１１１】
携帯端末は、ネットワークモジュール１８２によりユーザに無線のブロードバンドインターネットアクセスを提供して、例えば、ユーザの電子メールの送受信、ウェブの閲覧及びストリーミングメディアのアクセス等を助ける。
【０１１２】
オーディオ出力ユニット１８３は、無線周波数ユニット１８１又はネットワークモジュール１８２によって受信されるか又はメモリ１８９に記憶されるオーディオデータをオーディオ信号に変換して音声として出力することができる。そして、オーディオ出力ユニット１８３は、さらに携帯端末１８０によって実行される特定の機能に関連するオーディオ出力（例えば、呼出音、メッセージ着信音等）を提供することができる。オーディオ出力ユニット１８３は、スピーカー、ブザー及びレシーバー等を含む。
【０１１３】
入力ユニット１８４は、オーディオ又はビデオ信号を受信する。入力ユニット１８４は、グラフィック処理ユニット（Ｇｒａｐｈｉｃｓ  Ｐｒｏｃｅｓｓｉｎｇ  Ｕｎｉｔ、ＧＰＵ）１８４１及びマイクロフォン１８４２を含んでよく、グラフィック処理ユニット１８４１は、動画撮影モード又は撮影モードで撮影装置（例えば、カメラ）によって取得された静止画像又はビデオの画像データを処理する。処理後の画像フレームは表示ユニット１８６に表示されてよい。グラフィック処理ユニット１８４１によって処理された画像フレームは、メモリ１８９（又は他の記憶媒体）に記憶されてもよく、無線周波数ユニット１８１又はネットワークモジュール１８２によって送信されてもよい。マイクロフォン１８４２は、音声を受信し、かつこのような音声をオーディオデータに処理することができる。処理後のオーディオデータを、電話通話モードの場合に無線周波数ユニット１８１によって移動通信基地局に送信されるフォーマットに変換して出力することができる。
【０１１４】
携帯端末１８０は、さらに、光センサ、動きセンサ及び他のセンサ等の少なくとも１種のセンサ１８５を含んでよい。具体的には、光センサは、環境光線の明るさに応じて表示パネル１８６１の輝度を調節することができる環境光センサと、携帯端末１８０が耳元に移動するときに、表示パネル１８６１及び／又はバックライトをオフにすることができる近接センサとを含む。動きセンサの１種として、加速センサは、各方向（一般に３軸）の加速度の大きさを検出でき、静止時に重力の大きさ及び方向を検出でき、携帯端末姿勢の識別（例えば、縦向きと横向きの切替、ゲーム関連、磁力計の姿勢較正）、振動識別に関連する機能（例えば、歩数計、タッピング）等に用いられてよく、センサ１８５は、さらに指紋センサ、圧力センサ、虹彩センサ、分子センサ、ジャイロスコープ、気圧計、湿度計、温度計、赤外線センサ等を含んでよく、ここでは説明を省略する。
【０１１５】
表示ユニット１８６は、ユーザによって入力された情報又はユーザに提供された情報を表示する。表示ユニット１８６は、表示パネル１８６１を含んでよく、液晶ディスプレイ（Ｌｉｑｕｉｄ  Ｃｒｙｓｔａｌ  Ｄｉｓｐｌａｙ、ＬＣＤ）、有機発光ダイオード（Ｏｒｇａｎｉｃ  Ｌｉｇｈｔ−Ｅｍｉｔｔｉｎｇ  Ｄｉｏｄｅ、ＯＬＥＤ）等の形式で表示パネル１８６１を配置してよい。
【０１１６】
ユーザ入力ユニット１８７は、入力された数字又は文字情報を受信すると共に、携帯端末のユーザ設定及び機能制御に関連するキー信号入力を生成することができる。具体的には、ユーザ入力ユニット１８７は、タッチパネル１８７１及び他の入力装置１８７２を含む。タッチパネル１８７１は、タッチスクリーンとも呼ばれ、その上又はその近くでのユーザのタッチ操作（例えば、指、スタイラスペン等の任意の適切な物体又は付属品を用いるタッチパネル１８７１上又はタッチパネル１８７１の近くでのユーザの操作）を収集することができる。タッチパネル１８７１は、タッチ検出装置及びタッチコントローラの２つの部品を含んでよい。タッチ検出装置は、ユーザのタッチ方向を検出し、タッチ操作による信号を検出し、信号をタッチコントローラに伝送し、タッチコントローラは、タッチ検出装置からタッチ情報を受信し、かつタッチポイント座標に変換し、その後にプロセッサ１８１０に送信し、プロセッサ１８１０から送信されたコマンドを受信し、実行する。また、抵抗式、容量式、赤外線式及び表面弾性波式等の複数のタイプでタッチパネル１８７１を実現することができる。タッチパネル１８７１に加えて、入力ユニット１８７は、他の入力デバイス１８７２をさらに含んでよい。具体的には、他の入力デバイス１８７２は、物理キーボード、機能キー（例えば、ボリューム調節キー、スイッチキー等）、トラックボール、マウス、及び操作レバーを含むが、これらに限定されず、ここでは説明を省略する。
【０１１７】
さらに、タッチパネル１８７１は、表示パネル１８６１をカバーしてよく、タッチパネル１８７１がその上又はその近くでのタッチ操作を検出した後、プロセッサ１８１０に伝送してタッチイベントのタイプを決定し、その後に、プロセッサ１８１０は、タッチイベントのタイプに応じて表示パネル１８１６に対応する視覚的出力を提供する。図１８において、タッチパネル１８７１と表示パネル１８６１は２つの独立した部品として携帯端末の入力と出力機能を実現するが、いくつかの実施例では、タッチパネル１８７１と表示パネル１８６１を一体化して携帯端末の入力と出力機能を実現することができ、ここで限定しない。
【０１１８】
インタフェースユニット１８８は、外部装置と携帯端末１８０を接続するインタフェースである。例えば、外部装置は、有線又は無線ヘッドフォンポート、外部電源（又は電池充電器）ポート、有線又は無線データポート、メモリカードポート、識別モジュールを備えた装置との接続用ポート、オーディオ入力／出力（Ｉ／Ｏ）ポート、ビデオＩ／Ｏポート、ヘッドフォンポート等を含んでよい。インタフェースユニット１８８は、外部装置からの入力（例えば、データ情報、電力等）を受信すると共に、受信した入力を携帯端末１８０内の１つ又は複数の素子に伝送するか又は携帯端末１８０と外部装置の間にデータを伝送する。
【０１１９】
メモリ１８９は、ソフトウェアプログラム及び様々なデータを記憶することができる。メモリ１８９は、主に、オペレーティングシステム、少なくとも１つの機能に必要なアプリケーションプログラム（例えば、音声再生機能、画像再生機能等）等を記憶することができるプログラム記憶領域と、携帯電話の使用に応じて作成されたデータ（例えば、オーディオデータ、電話帳等）等を記憶することができるデータ記憶領域を含んでよい。また、メモリ１８９は、高速ランダムアクセスメモリを含んでよく、少なくとも１つの磁気ディスクメモリ素子、フラッシュメモリ素子又は他の揮発性固体メモリ素子等の不揮発性メモリを含んでもよい。
【０１２０】
プロセッサ１８１０は、携帯端末の制御センターであり、様々なインタフェースと回線により携帯端末全体の各部分に接続され、メモリ１８９に記憶されたソフトウェアプログラム及び／又はモジュールを動作させるか又は実行し、メモリ１８９に記憶されたデータを呼び出すことにより、携帯端末の様々な機能とデータ処理を実行して、端末全体を監視する。プロセッサ１８１０は、１つ又は複数の処理ユニットを含んでよく、選択可能に、プロセッサ１８１０は、主にオペレーティングシステム、ユーザインタフェース及びアプリケーションプログラム等を処理するアプリケーションプロセッサと、主に無線通信を処理するモデムプロセッサとを集積することができる。理解できるように、上記モデムプロセッサは、プロセッサ１８１０に集積されなくてもよい。
【０１２１】
携帯端末１８０は、各部品に給電する電源１８１１（例えば、電池）を含んでよく、選択可能に、電源１８１１は、電源管理システムによりプロセッサ１８１０と論理的に接続されて、電源管理システムにより充電、放電の管理及び消費電力の管理等の機能を実現する。
【０１２２】
また、携帯端末１８０は、いくつかの未図示の機能モジュールを含み、ここで説明を省略する。
【０１２３】
本開示の実施例における端末は、無線端末であってもよく、有線端末であってもよく、無線端末は、ユーザに音声及び／又は他のサービスデータ接続性を提供する装置、無線接続機能を有するハンドヘルド装置、又は無線モデムに接続される他の処理装置であってよい。無線端末は、無線アクセスネットワーク（Ｒａｄｉｏ  Ａｃｃｅｓｓ  Ｎｅｔｗｏｒｋ、ＲＡＮ）を介して１つ又は複数のコアネットワークと通信可能であり、無線端末は、携帯電話（又は、「セルラー」電話）等の携帯端末、携帯端末を有するコンピュータ、例えば、携帯式、ポケット、手持ち式、コンピュータ内蔵又は車載の携帯機器であってよく、それらは無線アクセスネットワークと言語及び／又はデータを交換する。例えば、個人通信サービス（Ｐｅｒｓｏｎａｌ  Ｃｏｍｍｕｎｉｃａｔｉｏｎ  Ｓｅｒｖｉｃｅ、ＰＣＳ）電話、コードレス電話、セッション開始プロトコル（Ｓｅｓｓｉｏｎ  Ｉｎｉｔｉａｔｉｏｎ  Ｐｒｏｔｏｃｏｌ、ＳＩＰ）電話機、加入者系無線アクセス網（Ｗｉｒｅｌｅｓｓ  Ｌｏｃａｌ  Ｌｏｏｐ、ＷＬＬ）基地局、パーソナルディジタルアシスタント（Ｐｅｒｓｏｎａｌ  Ｄｉｇｉｔａｌ  Ａｓｓｉｓｔａｎｔ、ＰＤＡ）等の装置であってよい。無線端末は、システム、加入者ユニット（Ｓｕｂｓｃｒｉｂｅｒ  Ｕｎｉｔ）、加入者ステーション（Ｓｕｂｓｃｒｉｂｅｒ  Ｓｔａｔｉｏｎ）、移動ステーション（Ｍｏｂｉｌｅ  Ｓｔａｔｉｏｎ）、移動局（Ｍｏｂｉｌｅ）、遠隔ステーション（Ｒｅｍｏｔｅ  Ｓｔａｔｉｏｎ）、遠隔端末（Ｒｅｍｏｔｅ  Ｔｅｒｍｉｎａｌ）、アクセス端末（Ａｃｃｅｓｓ  Ｔｅｒｍｉｎａｌ）、ユーザ端末（Ｕｓｅｒ  Ｔｅｒｍｉｎａｌ）、ユーザエージェント（Ｕｓｅｒ  Ａｇｅｎｔ）、端末（Ｕｓｅｒ  Ｄｅｖｉｃｅ  ｏｒ  Ｕｓｅｒ  Ｅｑｕｉｐｍｅｎｔ）と呼ばれてよく、ここで限定されない。
【０１２４】
本開示の実施例におけるネットワーク側装置は、グローバルモバイル通信（Ｇｌｏｂａｌ  Ｓｙｓｔｅｍ  ｏｆ  Ｍｏｂｉｌｅ  ｃｏｍｍｕｎｉｃａｔｉｏｎ、ＧＳＭ）又は符号分割多元接続（Ｃｏｄｅ  Ｄｉｖｉｓｉｏｎ  Ｍｕｌｔｉｐｌｅ  Ａｃｃｅｓｓ、ＣＤＭＡ）における基地局（Ｂａｓｅ  Ｔｒａｎｓｃｅｉｖｅｒ  Ｓｔａｔｉｏｎ、ＢＴＳ）であってもよく、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ）における基地局（ＮｏｄｅＢ、ＮＢ）であってもよく、さらに、ＬＴＥにおける発展型基地局（Ｅｖｏｌｕｔｉｏｎａｌ  Ｎｏｄｅ  Ｂ、ｅＮＢ又はｅＮｏｄｅＢ）又は中継局又はアクセスポイント、又は将来の５Ｇネットワークにおける基地局等であってもよく、ここで限定されない。
【０１２５】
なお、本明細書において、用語「含む」、「含有」又はそれらの如何なる他の変形は、非排他性の包含をカバーすることを意図することにより、一連の要素を含むプロセス、方法、物品又は装置は、それらの要素を含むだけでなく、明確に列記されていない他の要素も含み、又はこのようなプロセス、方法、物品又は装置の固有の要素をさらに含む。より多くの限定がない場合に、語句「１つ．．．を含む」により限定された要素は、該要素を含むプロセス、方法、物品又は装置にさらに別の同一の要素が存在することを排除するものではない。
【０１２６】
以上の実施形態の説明により、当業者は、上記実施例の方法がソフトウェアと必要な汎用ハードウェアプラットフォームを併用した方法で実現でき、当然のことながらハードウェアでも実現できるが、多くの場合に前者がより好ましい実施形態であることを明確に理解することができる。このような理解に基づいて、本開示の技術手段は本質的又は関連技術に寄与する部分がソフトウェア製品の形態で具現化されてもよく、該コンピュータソフトウェア製品は記憶媒体（例えば、ＲＯＭ／ＲＡＭ、磁気ディスク、光ディスク）内に記憶され、一台の端末（携帯電話、コンピュータ、サーバ、エアコン又はネットワーク機器などであってもよい）に本開示の各実施例に記載の方法を実行させるための複数の命令を含む。
【０１２７】
以上で添付図面を結合して本開示の実施例を説明したが、本開示は、上記具体的な実施形態に限定されるものではなく、上記具体的な実施形態は、ただ例示的なものであり、制限的なものではなく、当業者であれば本開示の示唆で、本開示の趣旨及び特許請求の範囲の保護範囲から逸脱せずに多くの形式を行うことができ、これらは、いずれも本開示の保護範囲内に属する。
【図１】
2021513806.tif 000003
【図２】
2021513806.tif 000004
【図３】
2021513806.tif 000005
【図４】
2021513806.tif 000006
【図５】
2021513806.tif 000007
【図６】
2021513806.tif 000008
【図７】
2021513806.tif 000009
【図８】
2021513806.tif 000010
【図９】
2021513806.tif 000011
【図１０】
2021513806.tif 000012
【図１１】
2021513806.tif 000013
【図１２】
2021513806.tif 000014
【図１３】
2021513806.tif 000015
【図１４】
2021513806.tif 000016
【図１５】
2021513806.tif 000017
【図１６】
2021513806.tif 000018
【図１７】
2021513806.tif 000019
【図１８】
2021513806.tif 000020
【手続補正書】
【提出日】令和2年10月13日(2020.10.13)
【手続補正１】
【補正対象書類名】明細書
【補正対象項目名】０１０７
【補正方法】変更
【補正の内容】
【０１０７】
図１８は、本開示の各実施例を実現する携帯端末のハードウェア構成概略図であり、該携帯端末１８０は、無線周波数ユニット１８１、ネットワークモジュール１８２、オーディオ出力ユニット１８３、入力ユニット１８４、センサ１８５、表示ユニット１８６、ユーザ入力ユニット１８７、インタフェースユニット１８８、メモリ１８９、プロセッサ１８１０及び電源１８１１等の部品を含むが、これらに限定されない。当業者が理解できるように、図１８に示す携帯端末構成は、携帯端末を限定するものではなく、携帯端末は、図示より多いか又は少ない部品を含んでよく、ある部品を組み合わせたり、異なる部品を配置したりしてもよい。本開示の実施例では、携帯端末は、携帯電話、タブレット、ノートパソコン、ハンドトップ、車載端末、ウェアラブルデバイス及び歩数計等を含むが、これらに限定されない。
【手続補正２】
【補正対象書類名】特許請求の範囲
【補正対象項目名】全文
【補正方法】変更
【補正の内容】
【特許請求の範囲】
【請求項１】
端末に適用されるサウンディング基準信号ＳＲＳリソースの基準信号タイプの決定方法であって、
ＳＲＳリソースをアクティブ化／非アクティブ化するためのＭＡＣ  ＣＥを受信することと、
前記ＭＡＣ  ＣＥで指示されるＳＲＳリソースセットのＱＣＬ関連情報の基準信号タイプを決定することとを含み、
前記基準信号タイプは、ＣＳＩ−ＲＳ、ＳＳＢ及びＳＲＳを含む、サウンディング基準信号ＳＲＳリソースの基準信号タイプの決定方法。
【請求項２】
前記ＭＡＣ  ＣＥで指示されるＱＣＬ関連情報の基準信号タイプを決定する前記ステップは、
前記ＭＡＣ  ＣＥで指示される少なくとも１つのＳＲＳリソースセットのＱＣＬ関連情報の基準信号タイプを指示するための、前記ＭＡＣ  ＣＥにおける所定ドメインの値を取得することと、
前記ＭＡＣ  ＣＥにおける所定ドメインの値に基づいて、前記ＭＡＣ  ＣＥで指示される少なくとも１つのＳＲＳリソースセットのＱＣＬ関連情報の基準信号タイプを決定することとを含む、請求項１に記載のサウンディング基準信号ＳＲＳリソースの基準信号タイプの決定方法。
【請求項３】
前記所定ドメインは、前記ＭＡＣ  ＣＥの内容におけるＶ１ドメインを含み、前記ＭＡＣ  ＣＥは、少なくとも１つのＳＲＳリソースセットのアクティブ化／非アクティブ化状態を指示し、各ＳＲＳリソースセットは、それぞれ一つの前記Ｖ１ドメインに対応し、前記Ｖ１ドメインの値が第１の値である場合、対応するＳＲＳリソースセットのＱＣＬ関連情報の基準信号タイプはＣＳＩ−ＲＳであることを指示し、前記Ｖ１ドメインの値が第２の値である場合、対応するＳＲＳリソースセットのＱＣＬ関連情報の基準信号タイプはＳＳＢ又はＳＲＳであることを指示する、請求項２に記載のサウンディング基準信号ＳＲＳリソースの基準信号タイプの決定方法。
【請求項４】
前記所定ドメインは、さらに前記ＭＡＣ  ＣＥの内容におけるＶ２ドメインを含み、前記Ｖ２ドメインの値は、対応するＳＲＳリソースセットのＱＣＬ関連情報の基準信号タイプがＳＳＢ又はＳＲＳであることを指示する、請求項３に記載のサウンディング基準信号ＳＲＳリソースの基準信号タイプの決定方法。
【請求項５】
ネットワーク側装置に適用される、ＳＲＳリソースをアクティブ化／非アクティブ化する方法であって、
端末に、ＳＲＳリソースをアクティブ化／非アクティブ化するためのＭＡＣ  ＣＥを送信することにより、前記端末が前記ＭＡＣ  ＣＥを受信すると、前記ＭＡＣ  ＣＥで指示されるＳＲＳリソースセットのＱＣＬ関連情報の基準信号タイプを前記端末に決定させることを含み、
前記基準信号タイプは、ＣＳＩ−ＲＳ、ＳＳＢ及びＳＲＳを含む、ＳＲＳリソースをアクティブ化／非アクティブ化する方法。
【請求項６】
前記ＭＡＣ  ＣＥは、所定ドメインを含み、前記所定ドメインの値は、前記ＭＡＣ  ＣＥで指示される少なくとも１つのＳＲＳリソースセットのＱＣＬ関連情報の基準信号タイプを指示する、請求項５に記載のＳＲＳリソースをアクティブ化／非アクティブ化する方法。
【請求項７】
前記所定ドメインは、前記ＭＡＣ  ＣＥの内容におけるＶ１ドメインを含み、前記ＭＡＣ  ＣＥは、少なくとも１つのＳＲＳリソースセットのアクティブ化／非アクティブ化状態を指示し、各ＳＲＳリソースセットは、それぞれ一つの前記Ｖ１ドメインに対応し、前記Ｖ１ドメインの値が第１の値である場合、対応するＳＲＳリソースセットのＱＣＬ関連情報の基準信号タイプはＣＳＩ−ＲＳであることを指示し、前記Ｖ１ドメインの値が第２の値である場合、対応するＳＲＳリソースセットのＱＣＬ関連情報の基準信号タイプはＳＳＢ又はＳＲＳであることを指示する、請求項６に記載のＳＲＳリソースをアクティブ化／非アクティブ化する方法。
【請求項８】
前記所定ドメインは、さらに前記ＭＡＣ  ＣＥの内容におけるＶ２ドメインを含み、前記Ｖ２ドメインの値は、対応するＳＲＳリソースセットのＱＣＬ関連情報の基準信号タイプがＳＳＢ又はＳＲＳであることを指示する、請求項７に記載のＳＲＳリソースをアクティブ化／非アクティブ化する方法。
【請求項９】
ＳＲＳリソースをアクティブ化／非アクティブ化するためのＭＡＣ  ＣＥを受信するための受信モジュールと、
前記ＭＡＣ  ＣＥで指示されるＳＲＳリソースセットのＱＣＬ関連情報の基準信号タイプを決定するための決定モジュールとを含み、
前記基準信号タイプは、ＣＳＩ−ＲＳ、ＳＳＢ及びＳＲＳを含む、端末。
【請求項１０】
前記決定モジュールは、前記ＭＡＣ  ＣＥで指示される少なくとも１つのＳＲＳリソースセットのＱＣＬ関連情報の基準信号タイプを指示するための、前記ＭＡＣ  ＣＥにおける所定ドメインの値を取得し、前記ＭＡＣ  ＣＥにおける所定ドメインの値に基づいて、前記ＭＡＣ  ＣＥで指示される少なくとも１つのＳＲＳリソースセットのＱＣＬ関連情報の基準信号タイプを決定する、請求項９に記載の端末。
【請求項１１】
前記所定ドメインは、前記ＭＡＣ  ＣＥの内容におけるＶ１ドメインを含み、前記ＭＡＣ  ＣＥは、少なくとも１つのＳＲＳリソースセットのアクティブ化／非アクティブ化状態を指示し、各ＳＲＳリソースセットは、それぞれ一つの前記Ｖ１ドメインに対応し、前記Ｖ１ドメインの値が第１の値である場合、対応するＳＲＳリソースセットのＱＣＬ関連情報の基準信号タイプはＣＳＩ−ＲＳであることを指示し、前記Ｖ１ドメインの値が第２の値である場合、対応するＳＲＳリソースセットのＱＣＬ関連情報の基準信号タイプはＳＳＢ又はＳＲＳであることを指示する、請求項１０に記載の端末。
【請求項１２】
前記所定ドメインは、さらに前記ＭＡＣ  ＣＥの内容におけるＶ２ドメインを含み、前記Ｖ２ドメインの値は、対応するＳＲＳリソースセットのＱＣＬ関連情報の基準信号タイプがＳＳＢ又はＳＲＳであることを指示する、請求項１１に記載の端末。
【請求項１３】
端末に、ＳＲＳリソースをアクティブ化／非アクティブ化するためのＭＡＣ  ＣＥを送信することにより、前記端末が前記ＭＡＣ  ＣＥを受信すると、前記ＭＡＣ  ＣＥで指示されるＳＲＳリソースセットのＱＣＬ関連情報の基準信号タイプを前記端末に決定させるための送信モジュールを含み、
前記基準信号タイプは、ＣＳＩ−ＲＳ、ＳＳＢ及びＳＲＳを含む、ネットワーク側装置。
【請求項１４】
前記ＭＡＣ  ＣＥは、所定ドメインを含み、前記所定ドメインの値は、前記ＭＡＣ  ＣＥで指示される少なくとも１つのＳＲＳリソースセットのＱＣＬ関連情報の基準信号タイプを指示する、請求項１３に記載のネットワーク側装置。
【請求項１５】
前記所定ドメインは、前記ＭＡＣ  ＣＥの内容におけるＶ１ドメインを含み、前記ＭＡＣ  ＣＥは、少なくとも１つのＳＲＳリソースセットのアクティブ化／非アクティブ化状態を指示し、各ＳＲＳリソースセットは、それぞれ一つの前記Ｖ１ドメインに対応し、前記Ｖ１ドメインの値が第１の値である場合、対応するＳＲＳリソースセットのＱＣＬ関連情報の基準信号タイプはＣＳＩ−ＲＳであることを指示し、前記Ｖ１ドメインの値が第２の値である場合、対応するＳＲＳリソースセットのＱＣＬ関連情報の基準信号タイプはＳＳＢ又はＳＲＳであることを指示する、請求項１４に記載のネットワーク側装置。
【国際調査報告】
2021513806.tif 000021
2021513806.tif 000022
2021513806.tif 000023
2021513806.tif 000024